(57)【要約】  好ましい実施形態では、表面上を回転走行するための、車輪付きプラットフォーム装置と、かかとに車輪が設けられている「ヒーリング」装置、もしくは他の履物と併せて使用するための方法とが、提供されている。前記装置は、上部と、底部と、前部と、中間部と、後部と、プラットフォームの回転走行を促すように前記プラットフォームの底面の下方に接続されている、もしくは位置されている第１の車輪及び第２の車輪とを備えたプラットフォームを有している。前記装置は、ヒーリング装置を含む足もしくは履物と結合するための上面と接続している取着構造体と、ヒーリング装置を含む他方の足もしくは他方の履物の前足部分を回転走行の間に支持するためのフットレストとを更に有し得る。【選択図】図２２Ａ
2013504382.tif 000002
【特許請求の範囲】
【請求項１】
前部、中間部、後部、上面、底面、長手方向の中心線を有するプラットフォームと、  
プラットフォームに設けられ、プラットフォームの回転走行を促すようにこのプラットフォームの底面の下方に部分的に突出している第１の車輪及び第２の車輪と、  
一方の足と結合するように前記上面の上方に延びており、前記一方の足を前記プラットフォームの前記長手方向の中心線に沿って位置するように動作可能である取着構造体と、
他方の足の前足部分を乗せるための、前記プラットフォームの前記後部に近接して位置されているフットレストと、  
を具備する車輪付きプラットフォーム装置。
【請求項２】
第１の履物が、前記一方の足に履かれる、請求項１に記載の車輪付きプラットフォーム装置。
【請求項３】
前記第１の履物は、車輪を有していない、請求項２に記載の車輪付きプラットフォーム装置。
【請求項４】
前記第１の履物は、車輪を有しており、回転走行するように動作可能である、請求項２に記載の車輪付きプラットフォーム装置。
【請求項５】
前記第１の車輪と前記第２の車輪との少なくとも一方は、照明される、請求項１に記載の車輪付きプラットフォーム装置。
【請求項６】
前記第１の車輪と前記第２の車輪との少なくとも一方は、プラットフォームに取り外し可能に取着されている、請求項１に記載の車輪付きプラットフォーム装置。
【請求項７】
前記第１の車輪と前記第２の車輪とは、プラットフォームの長手方向の中心線に沿って位置されている、請求項１に記載の車輪付きプラットフォーム装置。
【請求項８】
前記第１の履物は、前足部分と、土踏まず部分と、かかと部分と、底面と、この底面に設けられている開口部とを備えた靴底を有しており、前記取着構造体は、前記底面に設けられている前記開口部と少なくとも部分的に接触している、請求項２に記載の車輪付きプラットフォーム装置。
【請求項９】
前記底面に設けられている前記開口部は、前記土踏まず部分に少なくとも部分的に位置している、請求項８に記載の車輪付きプラットフォーム装置。
【請求項１０】
前記第１の履物は、ヒーリング装置であり、前記取着構造体は、前記ヒーリング装置のかかと部分中に延びている凹部と相互接続するための突出部を更に有する、請求項３に記載の車輪付きプラットフォーム装置。
【請求項１１】
前記取着構造体は、前記第１の履物から突出している車輪と結合するための突出部を更に有する、請求項４に記載の車輪付きプラットフォーム装置。
【請求項１２】
前記取着構造体は、前記第１の履物から延びている突出部と結合するための凹部を更に有する、請求項２に記載の車輪付きプラットフォーム装置。
【請求項１３】
前記取着構造体は、前記第１の履物から突出している前記車輪と結合するための凹部を更に有する、請求項４に記載の車輪付きプラットフォーム装置。
【請求項１４】
前記取着構造体は、前記第１の履物と磁気的に結合するための磁気面を更に有する、請求項２に記載の車輪付きプラットフォーム装置。
【請求項１５】
一方の足を前記プラットフォームに着脱可能に結合するように設けられているストラップを更に具備する請求項１に記載の車輪付きプラットフォーム装置。
【請求項１６】
前記プラットフォームは、このプラットフォームを形成するように着脱可能に結合されている底部と上部とを有する、請求項１に記載の車輪付きプラットフォーム装置。
【請求項１７】
前記取着構造体は、車軸を受けるように動作可能である、請求項１に記載の車輪付きプラットフォーム装置。
【請求項１８】
前記車軸は、前記取着構造体に設けられている開口部を通る、請求項１７に記載の車輪付きプラットフォーム装置。
【請求項１９】
前記車軸は、張力付与具によって前記取着構造体に少なくとも部分的に取着されている、請求項１７に記載の車輪付きプラットフォーム装置。
【請求項２０】
前記取着構造体は、前記張力付与具を受けるためのスリーブを更に有する、請求項１９に記載の車輪付きプラットフォーム装置。
【請求項２１】
前記取着構造体は、一方の足が前記プラットフォームの長手方向の中心線に対して種々の角度で位置され得るように、前記プラットフォームの表面に対して移動されるように動作可能である、請求項１に記載の車輪付きプラットフォーム装置。
【請求項２２】
前記取着構造体は、前記取着構造体に設けられている開口部を通る留め具によって、前記プラットフォームに結合されている、請求項２１に記載の車輪付きプラットフォーム装置。
【請求項２３】
前記開口部は、前記留め具に対する前記取着構造体の移動を可能にするように、非円形である、請求項２２に記載の車輪付きプラットフォーム装置。
【請求項２４】
前記取着構造体は、前記プラットフォームの前記長手方向の中心線に対するこの取着構造体の回転走行を促すように、前記プラットフォームの上面に設けられている凹部と相互接続するための突出部を更に有する、請求項２１に記載の車輪付きプラットフォーム装置。
【請求項２５】
物体を格納するための凹部が、前記上面に隣接して形成されている、請求項１に記載の車輪付きプラットフォーム装置。
【請求項２６】
前記底面の中間部は、摺り足プレートを更に有する、請求項１に記載の車輪付きプラットフォーム装置。
【請求項２７】
第２の履物が、他方の足に履かれている、請求項１に記載の車輪付きプラットフォーム装置。
【請求項２８】
前記第２の履物は、車輪を有しており、車輪付きプラットフォーム装置の後ろで回転走行するように動作可能であり、車輪を有する前記第２の履物は、ヒーリング装置と、インラインスケートと、四輪スケートと、外車輪アセンブリとから成るグループのうちの１つである、請求項２７に記載の車輪付きプラットフォーム装置。
【請求項２９】
前記フットレストは、平坦な地面にほぼ平行であり、この平坦な地面の上方に位置されている車輪付きプラットフォーム装置の表面をほぼ通る平面から１８０度以内の角度で下方に延びている、請求項１に記載の車輪付きプラットフォーム装置。
【請求項３０】
前記フットレストは、ブレーキ面を更に有する、請求項１に記載の車輪付きプラットフォーム装置。
【請求項３１】
前記フットレストは、前記第２の履物の前足部分に磁気的に結合する、請求項２７に記載の車輪付きプラットフォーム装置。
【請求項３２】
前記フットレストを前記第２の履物の前足部分に結合するためのフットレスト結合構造体を更に具備する、請求項２７に記載の車輪付きプラットフォーム装置。
【請求項３３】
前記プラットフォームは、右の側面と左の側面とを有しており、前記車輪付きプラットフォーム装置の使用中に他方の足を乗せるために、前記プラットフォームの両側面の少なくとも一方から近接して延びている１つもしくは複数の突出部を更に有する、請求項１に記載の車輪付きプラットフォーム装置。
【請求項３４】
第２の履物が、他方の足に履かれている、請求項３３に記載の車輪付きプラットフォーム装置。
【請求項３５】
前記第２の履物は、車輪を有しており、回転走行するように動作可能である、請求項３４に記載の車輪付きプラットフォーム装置。
【請求項３６】
前記１つもしくは複数の突出部は、前記第２の履物に磁気的に結合する、請求項３４に記載の車輪付きプラットフォーム装置。
【請求項３７】
前記第２の履物を前記車輪付きプラットフォーム装置の前記１つもしくは複数の突出部に結合するための突出部結合構造体を更に具備する、請求項３４に記載の車輪付きプラットフォーム装置。
【請求項３８】
前記プラットフォームの上面に近接して位置されているデッキプレートを更に具備する、請求項１に記載の車輪付きプラットフォーム装置。
【請求項３９】
前記デッキプレートは、前記プラットフォームの上面に取り外し可能に取着されている、請求項３８に記載の車輪付きプラットフォーム装置。
【請求項４０】
前記デッキプレートに近接して位置されている緩衝材を更に具備する、請求項３８に記載の車輪付きプラットフォーム装置。
【請求項４１】
前記デッキプレートと前記プラットフォームとの間に位置されているサスペンション部材を更に具備する、請求項３８に記載の車輪付きプラットフォーム装置。
【請求項４２】
前記デッキプレートの下に位置されている光源を更に具備する、請求項３８に記載の車輪付きプラットフォーム装置。
【請求項４３】
使用者による地面上での車輪付きプラットフォーム装置の使用の方法であって、  
一方の足を、地面上で回転走行するように動作可能である車輪付きプラットフォーム装置の上に位置することと、  
他方の足を、地面と接するように履物の靴底に近接して、もしくはこの下に、もしくは部分的にこの領域内に取り付けられている車輪を有しており、表面上を回転走行するように動作可能である車輪付き履物の上に位置させることと、  
車輪付きプラットフォーム装置上に位置されている前記一方の足と前記車輪付き履物を装着している前記他方の足とを使用して、ほぼ第１の方向に表面上を回転走行することと、  
前記車輪付き履物の回転しない部材の少なくとも一部を表面に当接させることによって、前記表面上での回転走行から減速回転走行へと変えることと、を具備する方法。
【請求項４４】
表面上を回転走行させることは、使用者の体重が前記車輪付き履物の前足部分によってまったくもしくはほとんど支持されないように、前記車輪付き履物の前足部分を表面から上げることを含む、請求項４３に記載の方法。
【請求項４５】
前記車輪付き履物は、ヒーリング装置と、インラインスケートと、四輪スケートと、外車輪アセンブリとから成るグループのうちの１つである、請求項４３に記載の方法。
【請求項４６】
表面上を回転走行させることは、前記車輪付き履物を前記車輪付きプラットフォーム装置の前に位置させることを含む、請求項４３に記載の方法。
【請求項４７】
表面上を回転走行させることは、前記車輪付き履物を前記車輪付きプラットフォーム装置の後ろに位置させることを含む、請求項４３に記載の方法。
【請求項４８】
前記車輪付きプラットフォーム装置は、前部と、中間部と、後部とを有しており、前記車輪付き履物の前足部分の少なくとも一部は、前記車輪付きプラットフォーム装置の後部に近接して位置されているフットレストに近接して位置される、請求項４３に記載の方法。
【請求項４９】
前記車輪付きプラットフォーム装置は、前部と、中間部と、後部とを有しており、前記車輪付き履物の少なくとも一部は、前記車輪付きプラットフォーム装置の前部に近接して位置されている突出部に近接して位置される、請求項４３に記載の方法。
【請求項５０】
前記車輪付きプラットフォーム装置は、前部と、中間部と、後部とを有しており、前記車輪付き履物の少なくとも一部は、前記車輪付きプラットフォーム装置の前記中間部に近接して位置される突出部に近接して位置されている、請求項４３に記載の方法。
【請求項５１】
前記車輪付き履物は、ヒーリング装置であり、表面上を回転走行する前に前記ヒーリング装置の靴底のかかと部分に設けられている開口部中に着脱可能な車輪を挿入することを、更に具備する、請求項４５に記載の方法。
【請求項５２】
前記車輪付き履物の靴底の少なくとも前足部分を表面に当接させることによって回転走行を減速させることを更に具備する、請求項４３に記載の方法。
【請求項５３】
前記車輪付き履物の靴底の少なくともかかと部分を表面に当接させることによって回転走行を減速させることを更に具備する、請求項４３に記載の方法。
【請求項５４】
前記車輪付きプラットフォーム装置の少なくともフットレストを表面に当接させることによって回転走行を減速させることを更に具備する、請求項４３に記載の方法。
【請求項５５】
前記車輪付きプラットフォーム装置は、底面と、この底面の下方に部分的に突出している前側の車輪及び後ろ側の車輪とを有する、請求項４３に記載の方法。
【請求項５６】
第２の履物は、一方の足に履かれている、請求項４３に記載の方法。
【請求項５７】
前記第２の履物は、ヒーリング装置である、請求項５６に記載の方法。
【請求項５８】
前記第２の履物は、前記車輪付きプラットフォーム装置に着脱可能に取着されている、請求項５６に記載の方法。
【請求項５９】
前部と、中間部と、後部と、上面と、底面と、フットレストとを有するプラットフォームと、  
車輪付きプラットフォーム装置と接続しており、前記プラットフォームの回転走行を促すようにこのプラットフォームの底面の下に突出している第１の車輪と第２の車輪と、  
履物のかかと中に少なくとも部分的に突出している開口部を有する前記履物と結合するための、前記上面の上方に延びている取着構造体とを具備し、  
前記フットレストは前記車輪付きプラットフォーム装置の後部に近接して位置されており、前記第１の車輪及び前記第２の車輪は、前記プラットフォームの長手方向の中心線に近接して位置されている、車輪付きプラットフォーム装置。
【発明の詳細な説明】
【関連出願についての説明】
【０００１】
35U.S.C.§119によって、本出願は、米国仮特許出願S.N.61／276,214（名称「車輪付きプラットフォーム及び車輪付き履物と併せて使用するための使用方法」、発明者Ryan Daniel Wills、２００９年９月９日提出）と、米国仮特許出願S.N.61／279,489（名称「車輪付きプラットフォーム装置及び車輪付き履物と併せて使用するための方法」、発明者Ryan Daniel Wills、２００９年１０月２１日提出）と、米国仮特許出願S.N.61／399,190（名称「車輪付きプラットフォーム及び車輪付き履物と併せて使用するための方法」、発明者Ryan Daniel Wills、２０１０年７月７日提出）とに基づく優先権と、これらの利益とを主張すると共に、これら出願は、あらゆる目的で、参照として本書に含まれる。
【技術分野】
【０００２】
本発明は、概して、アクティブなスポーツの分野に関わり、特にヒール（「ヒーリング」）装置もしくはスケートに車輪を有する車輪付き履物と協動し得る車輪付きプラットフォームに関わる。
【背景技術】
【０００３】
アクティブなスポーツは、多くの場合、スケートボードと車輪付き装置とを含む。しかしながら、一部の人々は、従来のスケートボードと車輪付き装置とによって与えられるより多くの機能性及び汎用性を求める。
【先行技術文献】
【特許文献】
【０００４】
【特許文献１】U.S.4,245,406
【特許文献２】U.S.5,319,869
【特許文献３】U.S.5,384,973
【特許文献４】U.S.5,396,675
【特許文献５】U.S.5,572,804
【特許文献６】U.S.5,595,004
【特許文献７】U.S.5,885,500
【特許文献８】U.S.4,295,655
【特許文献９】U.S.3,983,643
【特許文献１０】U.S.5,785,327
【発明の概要】
【０００５】
上面と、底面と、この底面から少なくとも部分的に突出している少なくとも２つの車輪とを有する車輪付きプラットフォーム装置であって、ヒーリング装置、四輪スケート、インラインスケート、外車輪アセンブリ、もしくは他の車輪付きスケート、もしくは使用者の足を含む車輪の付いていないもしくは車輪付き履物と結合するように前記上面に近接して、もしくは上面の下に位置されている取着構造体もしくはメカニズムを更に有し得る、車輪付きプラットフォーム装置が、提供される。
【０００６】
他の技術的効果は、以下の図面及び説明から、当業者に容易に明らかとなる。
【０００７】
本発明のより複雑な理解のために、以下の簡単な説明が、添付の図面と詳細な説明とに関連して、参照される。同じ参照符号が、同じ部品を示している。
【図面の簡単な説明】
【０００８】
【図１】図１は、本発明の実施形態に係る運動靴によって実施されるヒーリング装置を示す側面図である。
【図２Ａ】図２Ａは、靴底に開口部を有するヒーリング装置の靴底の、２つの実施形態のうちの一方を示す底面図である。
【図２Ｂ】図２Ｂは、靴底に開口部を有するヒーリング装置の靴底の、２つの実施形態のうちの他方を示す底面図である。
【図３Ａ】図３Ａは、図２Ａに示されている靴底の実施形態の底面図であり、靴底の開口部中の車輪を示す図である。
【図３Ｂ】図３Ｂは、図２Ｂに示されている靴底の実施形態の底面図であり、靴底の各開口部中の車輪を示す図である。
【図４】図４は、本発明の実施形態に係る車輪アセンブリに使用するための、車輪／車軸アセンブリとも称され得る、車軸に回転可能に取り付けられている車輪を示す斜視図である。
【図５】図５は、車輪アセンブリを形成するための、図４に示されているような、車軸に回転可能に取り付けられている車輪と併せて使用するための取り付け構造体を示す斜視図である。
【図６】図６は、図４に示されているような車軸に回転可能に取り付けられている車輪と、図５の取り付け構造体とを有する車輪アセンブリを示す底面図である。
【図７】図７は、ヒーリング装置を形成するための、履物に設けられている開口部の上方に、この開口部を通って位置されている車輪アセンブリを示す側面図である。
【図８Ａ】図８Ａは、本発明の実施形態に使用され得る車輪の表面の形状を示す、車輪の側面図である。
【図８Ｂ】図８Ｂは、本発明の実施形態に使用され得る車輪の表面の形状を示す、車輪の側面図である。
【図８Ｃ】図８Ｃは、本発明の実施形態に使用され得る車輪の表面の形状を示す、車輪の側面図である。
【図８Ｄ】図８Ｄは、本発明の実施形態に使用され得る車輪の表面の形状を示す、車輪の側面図である。
【図９】図９は、ヒーリング装置の車輪アセンブリに使用するための、他の実施形態の取り付け構造体を示す斜視図である。
【図１０】図１０は、ヒーリング装置に使用するための、更なる他の実施形態を使用する車輪アセンブリを示す斜視図である。
【図１１】図１１は、ヒーリング装置の靴底に設けられている車輪アセンブリと、前記靴底の、この靴底を貫通していない開口部とを有する、ヒーリング装置の実施形態を示す部分的な断面側面図である。
【図１２】図１２は、靴底に設けられている車輪と開口部とを覆うように位置されている取り外し可能な車輪カバーを備えた、本発明のヒーリング装置を示す他の実施形態の側面図である。
【図１３】図１３は、車輪として機能し、靴底のかかと部分の開口部中の取り付け構造体に位置されている球形状のボールを備えた、本発明の他の実施形態を示す底面図である。
【図１４】図１４は、「かかとで地面を蹴る（ヒールする（heel））」ために本発明を使用している「ヒーラー」を示す斜視図である。
【図１５】図１５は、車輪／車軸アセンブリとも称され得る、図４に類似した、車軸に回転可能に取り付けられている車輪を示す斜視図である。
【図１６】図１６は、ばね付勢の短縮可能な車軸として実施される、図１５の車輪／車軸アセンブリの短縮可能な車軸を示す断面図である。
【図１７】図１７は、車輪アセンブリを形成するように、図１５及び図１６に示されているような車輪／車軸アセンブリ及び短縮可能な車軸と併せて使用するための、他の取り付け構造体を示す斜視図である。
【図１８】図１８は、引込み式の車輪を提供するように、キングピン装置と称され得るアセンブリによって取り付け構造体に結合する車軸の実施形態を有する、靴底の開口部を通って位置されている車輪アセンブリを示す断面側面図である。
【図１９】図１９は、二重キングピン装置を更に有する、図１８の車輪アセンブリを示す底面図である。
【図２０】図２０は、二重キングピン装置による車軸の取り付け構造体への結合を更に有する、前記取り付け構造体の一部材を示す側面図である。
【図２１】図２１は、本発明に使用され得る、内側の芯と外側のタイヤとを有する本発明に使用され得るツーピースの車輪を示す分解斜視図である。
【図２２Ａ】図２２Ａは、取着構造体を備えた車輪付きプラットフォーム装置の実施形態を示す等尺側面図である。
【図２２Ｂ】図２２Ｂは、取着構造体を備えていない車輪付きプラットフォーム装置の実施形態を示す等尺側面図である。
【図２３】図２３は、取着構造体を備えた車輪付きプラットフォーム装置の実施形態を示す側面図である。
【図２４】図２４は、取着構造体を備えた車輪付きプラットフォーム装置の実施形態を示す上面図である。
【図２５】図２５は、取着構造体を備えた車輪付きプラットフォーム装置の実施形態を示す等尺上面図である。
【図２６】図２６は、取着構造体を備えた車輪付きプラットフォーム装置の実施形態を示す等尺正面図である。
【図２７】図２７は、取着構造体を備えた車輪付きプラットフォーム装置の実施形態を示す等尺後面図である。
【図２８】図２８は、履物と接続されている車輪付きプラットフォーム装置の実施形態を示す正面図である。
【図２９Ａ】図２９Ａは、車輪付きプラットフォーム装置の後ろに位置されておりこの装置の後部に接しているヒーリング装置を有する車輪付きプラットフォーム装置の実施形態を示す側面図である。
【図２９Ｂ】図２９Ｂは、車輪付きプラットフォーム装置の後ろに位置されておりこの装置の後部に接している四輪スケートを備えた車輪付きプラットフォーム装置の実施形態を示す側面図である。
【図２９Ｃ】図２９Ｃは、車輪付きプラットフォーム装置の後ろに位置されておりこの装置の後部に接しているインラインスケートを備えた車輪付きプラットフォーム装置の実施形態を示す側面図である。
【図２９Ｄ】図２９Ｄは、車輪付きプラットフォーム装置の後ろに位置されておりこの装置の後部に接している外車輪装置を備えた車輪付きプラットフォーム装置の実施形態を示す側面図である。
【図２９Ｅ】図２９Ｅは、車輪付きプラットフォーム装置の後ろに少なくとも部分的に位置されている、前足部分を上げた状態の、ヒーリング装置を備えた車輪付きプラットフォーム装置の実施形態を示す側面図である。
【図３０Ａ】図３０Ａは、一方の足が車輪付きプラットフォーム装置の上に置かれ、もう一方の足がヒーリング装置を装着している使用者の実施形態を示す側面図である。
【図３０Ｂ】図３０Ｂは、一方の足が車輪付きプラットフォーム装置の上に置かれ、もう一方の足が四輪スケートを装着している使用者の実施形態を示す側面図である。
【図３０Ｃ】図３０Ｃは、一方の足が車輪付きプラットフォーム装置の上に置かれ、もう一方の足がインラインスケートを装着している使用者の実施形態を示す側面図である。
【図３０Ｄ】図３０Ｄは、一方の足が車輪付きプラットフォーム装置の上に置かれ、もう一方の足が外車輪装置を装着している使用者の実施形態を示す側面図である。
【図３１】図３１は、車軸取着構造体を備えた車輪付きプラットフォーム装置の実施形態を示す上面図である。
【図３２】図３２は、車輪取着構造体を備えた車輪付きプラットフォーム装置の実施形態を示す等尺側面図である。
【図３３】図３３は、少なくとも部分的に凹んだ車輪取着構造体を備えた車輪付きプラットフォーム装置の実施形態を示す等尺側面図である。
【図３４】図３４は、取り外し可能なデッキプレートと取着構造体とを備えた車輪付きプラットフォーム装置の実施形態を示す等尺側面図である。
【図３５】図３５は、取り外し可能なデッキプレートと取着構造体とを備えた車輪付きプラットフォーム装置の実施形態を示す側面図である。
【図３６Ａ】図３６Ａは、取り外し可能なデッキプレートと取り外し可能なデッキプレート用のロック構造体とを備えた車輪付きプラットフォーム装置の実施形態を示す等尺側面図である。
【図３６Ｂ】図３６Ｂは、取り外し可能なデッキプレートと取り外し可能なデッキプレート用のロック構造体とを備えた車輪付きプラットフォーム装置の実施形態を示す上面図である。
【図３７】図３７は、取り外し可能なデッキプレートと取り外し可能なデッキプレート用の留め具とを備えた車輪付きプラットフォーム装置の実施形態を示す等尺側面図である。
【図３８】図３８は、取り外し可能なデッキプレートと、取着構造体と、車軸構造体と、留め具と、張力付与具と、凹部と、中間のシャーシと、プラットフォームとを備えた車輪付きプラットフォーム装置の実施形態を示す分解斜視図である。
【図３９Ａ】図３９Ａは、第１の留め部用開口部と、スリーブ形状の開口部と、張力付与具用開口部とを示す取着構造体の実施形態を示す斜視図である。
【図３９Ｂ】図３９Ｂは、スリーブ形状の開口部と突出部とを示す取着構造体の実施形態を示す側面図である。
【図３９Ｃ】図３９Ｃは、第１及び第２の留め具用開口部と、突出部と、スリーブ形状の開口部とを有する取着構造体の実施形態を示す底面図である。
【図４０Ａ】図４０Ａは、車軸構造体のような物体を格納するための凹部を備えた中間のシャーシの実施形態を示す後面斜視図である。
【図４０Ｂ】図４０Ｂは、デッキプレートの実施形態を示す上面図である。
【図４０Ｃ】図４０Ｃは、車軸構造体のような物体を格納するための凹部を備えた中間のシャーシの実施形態を示す後面斜視図である。
【図４１Ａ】図４１Ａは、デッキプレートによって中間のシャーシに結合されているストラップの実施形態を示す正面斜視図である。
【図４１Ｂ】図４１Ｂは、デッキプレートによって中間のシャーシに結合されているストラップの実施形態を示す側面斜視図である。
【図４１Ｃ】図４１Ｃは、中間のシャーシの凹部の上方に位置されているストラップの実施形態を示す斜視図である。
【図４１Ｄ】図４１Ｄは、中間のシャーシの上方に位置されているデッキプレートと、前記中間のシャーシと前記デッキプレートとの間に位置されているストラップとの実施形態を示す斜視図である。
【図４１Ｅ】図４１Ｅは、物体を格納するための凹部を有している中間のシャーシの上方に位置されているデッキプレートと、前記中間のシャーシと前記デッキプレートとの間に位置されているストラップとの実施形態を示す斜視図である。
【図４１Ｆ】図４１Ｆは、車輪付きプラットフォーム装置に取着されており使用者の足の周りに位置されるストラップを有する車輪付きプラットフォーム装置の実施形態を示す斜視図である。
【図４２】図４２は、ヒーリング装置の前足がブレーキとして地面に接して位置されている、車輪付きプラットフォーム装置の実施形態を示す側面図である。
【図４３】図４３は、ヒーリング装置のかかとがブレーキとして地面に接して位置されている、車輪付きプラットフォーム装置の実施形態を示す側面図である。
【図４４】図４４は、車輪付きプラットフォーム装置の長手方向の中心線からオフセットされた角度での取り付けが可能な取着構造体の実施形態を示す斜視図である。
【図４５】図４５は、車輪アセンブリもしくは取着構造体を受けるための凹部を有するヒーリング装置の実施形態を示す底面図である。
【図４６Ａ】図４６Ａは、車輪付きプラットフォーム装置に取り外し可能に取り付けられているデッキプレートの実施形態を示す斜視図である。
【図４６Ｂ】図４６Ｂは、車輪付きプラットフォーム装置から取り外されているデッキプレートの実施形態を示す斜視図である。
【図４７Ａ】図４７Ａは、取り外し可能な車輪アセンブリを備えた車輪付きプラットフォーム装置の実施形態を示す底面図である。
【図４７Ｂ】図４７Ｂは、取り外し可能な車輪アセンブリを備えた車輪付きプラットフォーム装置の実施形態を示す底面図である。
【図４７Ｃ】図４７Ｃは、取り外し可能な車輪アセンブリを備えた車輪付きプラットフォーム装置の実施形態を示す底面図である。
【図４８】図４８は、取着構造体とストラップとによって車輪付きプラットフォーム装置に取り外し可能に取り付けられているヒーリング装置の実施形態を示す斜視図である。
【図４９】図４９は、車輪付きプラットフォームに取着されている取着構造体の実施形態を示す斜視図である。
【図５０】図５０は、車軸と張力付与具との位置づけを示すように取着構造体の実施形態を示す分解図である。
【図５１】図５１は、ヒーリング装置の回転しない部分がブレーキとして地面に接して位置されている、車輪付きプラットフォーム装置の実施形態を示す側面図である。
【発明を実施するための形態】
【０００９】
本発明の実施形態が以下に示されているが、本発明は、現在知られている既存の技術と、材料と、デザインと、構造とをいくつでも使用して実施され得ることが、最初に理解されなければならない。本発明は、ここに図示及び説明されている例示的なデザイン及び実施を含めて以下に示されている実施形態と、図面と、技術とに限定されない。
【００１０】
図１乃至図２１と、これら図に伴う説明とは、本発明の１つもしくは複数の態様に従った、車輪付きプラットフォーム装置１０００と協動するように構成、修正、使用され得る例示的な運動用履物としてのヒーリング装置及び方法の種々の態様を、図示及び説明する。しかしながら、本発明は、図１乃至図２１に示されているヒーリング装置の構造、構成、実施に限定されず、本発明の範囲内のいかなる履物、スケートにも使用され得、もしくは、更なる他の構成要素もしくは構成と併せて使用され得ることが、理解されなければならない。
【００１１】
図１は、本発明の一実施形態に係る運動靴１２によって実施されるヒーリング装置１０の側面図である。このヒーリング装置１０は、履物の靴底のかかと部分の開口部中に設けられている車輪アセンブリを好ましくは有している。例えば、前記運動靴１２は、靴底１４のかかと部分１８の底部に開口部を有しており、この開口部は、車輪１６が靴底１４の底部の下に突出するように前記開口部中に設けられている車輪アセンブリを有している。前記車輪アセンブリは、車軸（図１には示されていない）に回転可能に取り付けられている前記車輪１６のような少なくとも１つの車輪を好ましくは有している。前記車軸に取り付けられている前記車輪１６は、前記車輪１６の一部が前記靴底１４のかかと部分１８の下に突出するようにして前記車軸を支持するように動作可能な取り付け構造体（図１には示されていない）によって、前記靴底１４の開口部中に好ましくは位置されている。
【００１２】
前記靴底１４の底部の下に突出している前記車輪１６の前記一部の総量もしくは長さは、距離２４によって規定されているように、前記車輪１６の直径より好ましくは小さい。しかしながら、この距離２４は、前記車輪１６の直径より大きくとも、小さくとも、この直径と同じでも良い。
【００１３】
前記運動靴１２は、多くの履物がそうであるように、靴底１４と上側の部分２６とを有すると、全体的に説明され得る。前記上側の部分２６は、ほぼいかなる材料、例えば、革、プラスチック、キャンバスによって構成され得る。前記靴底１４は、３つの部分、即ち（１）内側の靴底即ち中底（図１には示されていない）と、（２）中間の靴底２８と、（３）外側の靴底即ち外底３０とを有し得る。前記中底は、追加のクッションを与え得、取り外し可能であっても取り外し不可能であっても良い。いくつかの実施形態では、前記中底は、ドクターショールズインソール（a DR. SCHOLL'S insole）のような取り外し可能な部分と、前記運動靴１２に取着されたままの部分とを有し得る。前記外底３０は、ゴムのような耐久性のある材料によって好ましくは形成されており、更なる粘着摩擦を与えるように、例えばこぶを有するようにテクスチャード加工された表面を有し得る。前記中間の靴底２８は、軟らかい「クッションのような」材料によって通例は形成されており、前記中底及び前記外底３０より通例は厚い。しかしながら、いくつかの実施形態では、靴底１４は、ローファーの革製の靴底のように、１つの部分のみによって構成されている。他の実施形態では、靴底１４は、別個のヒールブロック、もしくは、革製のウィングチップドレスシューズのかかとのように、履物を高くする物体を有し得る。このようなヒールブロックもしくは物体は、前記靴底１４の前記かかと部分１８の一部と見なされ得る。本発明は、靴底１４のデザインもしくは構造に関係なく、ほぼいかなる履物にも実施され得ることが、理解されなければならない。種々の形式の履物と、履物を形成する種々の形式の方法とが、本分野で知られており、一部の一般の当業者によって知られている。例えば、あらゆる目的で参照として本書に含まれる特許文献１、特許文献２、特許文献３、特許文献４、特許文献５、特許文献６、特許文献７は、種々の履物と履物を形成する種々の方法とに関わる基礎的な情報を提供する。
【００１４】
運動靴１２を含む履物の多くでは、靴底１４が、図１に示されているように、３つの部分即ち領域、即ち（１）かかと部分１８と、（２）土踏まず部分２０と、（３）前足部分２２とに、分けられ得る。前記靴底１４の前記かかと部分１８と、前記土踏まず部分２０と、前記前足部分２２とは、精度良く規定且つ位置され得ることと、このような部分は、履物の種類によって様々であることとが、理解されなければならない。かくして、前記靴底１４の前記かかと部分１８と、前記土踏まず部分２０と、前記前足部分２２との位置と、これら部分間の境界と、これら部分の大きさとは、大まかな推定概算にすぎない。
【００１５】
前記靴底１４の底部の開口部と、従って前記車輪１６とが、前記靴底１４のかかと部分１８に好ましくは位置されるが、このような開口部は、前記かかと部分１８と前記土踏まず部分２０との境界に、もしくは前記土踏まず部分２０に、もしくは前記靴底１４の他のほぼいかなる位置にも位置され得ることが、理解されなければならない。前記靴底１４の底部の開口部は、靴底１４を貫通して、例えば外底と中間の靴底と中底とに渡って延び得、もしくは、靴底１４の一部のみに渡って、例えば外底と中間の靴底の一部もしくは全体とに渡って延び得る。
【００１６】
前記車輪１６は、例えばウレタン、プラスチック、ポリマー、金属、合金、木材、ゴム、複合材料などの、ほぼいかなる周知の、もしくは使用可能な材料によって構成もしくは形成され得る。このような材料は、例えばアルミニウム、チタニウム、スチール、樹脂を含み得る。好ましくは、前記材料は、耐久性があり、音をたてない性能を与え、そして、「軟らかい」即ち「クッションのような」感触を与える。一実施形態では、前記車輪１６は、精密軸受けが車輪１６としての機能を果たすように、１つもしくは複数の精密軸受けとして実施され得る。更なる他の実施形態では、車輪アセンブリは、車輪１６が地面に接して力が運動靴１２へと地面の方向に与えられる時に、例えば使用者がヒーリング装置１０を履いて歩いている時に、更なるクッションもしくはサスペンションを与えるように、例えばリーフスプリングのようなばねもしくはサスペンションを有し得る。このばねは、好ましくは前記車輪アセンブリの取り付け構造体の一部として設けられる。更なる他の実施形態では、前記車輪１６には、ウレタン製のタイヤのような外側のタイヤによって囲まれている硬い内側の芯のような内側の芯を有するツーピースの車輪が、設けられている。
【００１７】
所望の実施形態によっては、車輪１６と車軸とは、車輪アセンブリから取り外し可能であり得る。このような場合、取り外し可能なカバーが、靴底１４の開口部に、ごみや埃がこの開口部に入らないように、開口部を覆うようにして設けられ得る。前記取り外し可能なカバーは、一般の当業者によって容易に確認され得るほぼいかなる使用可能な構造にも、設けられ得る。前記取り外し可能なカバーの一実施形態では、この取り外し可能なカバーの車軸部分は、車輪１６が取り付けられている車軸が車輪アセンブリの取り付け構造体に取着及び／もしくは結合するのと同じようにして、取り付け構造体に取着及び／もしくは結合する。また、前記車軸及び車輪１６の取り外しを容易にするための器具が、設けられ得る。この器具は、好ましくは、ヒーリング装置１０に対するいかなる他の可能な調整も果たすように小型且つ多機能であり、例えば、スクリュードライバ、レンチなどである。ヒーリング装置１０の他の実施形態では、車輪１６は、靴底１４の開口部中への引込みが可能であり得る。このようにして、前記車輪１６は、前記靴底１４中に引込められ得、かくして、前記靴底１４の底部の下に突出しない。このことは、前記ヒーリング装置１０が、普通の履物、例えば運動靴１２のように機能することを可能にする。
【００１８】
本発明の一実施形態では、車輪アセンブリは、車軸を有しておらず、また、取り付け構造体を有しておらず、車輪１６が、靴底１４のかかと部分１８の底部の開口部中に回転可能に位置されているステンレス鋼ボールベアリングのような球体として、設けられている。この球体の一実施形態が、図１３に示されている。他の実施形態では、車輪アセンブリは、靴底１４が車軸を支持して車輪が前記靴底１４の開口部中の車軸に回転可能に取り付けられるように、前記靴底１４のかかと部分１８の全体に渡って、もしくは一部に渡って配置されている車軸を有している。このことによって、取り付け構造体の必要がない。
【００１９】
動作において、ヒーリング装置１０を履いている人は、普通に歩くか、ほぼ車輪１６のみを地面に当接させるようにして靴底１４を上げる即ち上昇させることによって、車輪１６を回転走行させ得る。この動作は、「ヒーリング」もしくは「ヒール」と称され得る。前記車輪１６は、本発明の所望の実施形態によっては、車輪１６が靴底１４の底部の下に突出しないように、取り外されるか所定の位置に引っ込められ得る。この結果、通例、関連した履物のように機能するヒーリング装置１０が、もたらされる。前記車輪１６が取り外されるか引込められると、ごみが開口部中に入ることと車輪アセンブリを潜在的に傷つけることとを防ぐように、取り外し可能なカバーが、靴底１４の底部の開口部を覆うように位置され得る。更なる他の実施形態では、前記車輪１６の一部が歩行を援助するように靴底１４の底部の下に突出したまま、取り外し可能なカバーが、車輪１６を覆うように位置され得る。この例は、図１２に示されている。
【００２０】
しかしながら、前述のように前記車輪１６が取り外されないもしくは引っ込められない場合であっても、使用者は、車輪１６が突出している状態で、依然として快適に歩行及び走行し得ることが、理解されなければならない。このことは、通例、距離２４が最小限であり、ヒーリングに独自の「ステルス」即ち「カバート」の態様をもたらすために、可能である。この結果、車輪は、ヒーリング装置１０の靴底１４の開口部即ち孔中で回転する。一実施形態では、距離２４が、車輪１６の半径より小さく、この結果、車輪の大部分が靴底１４の開口部中にある。
【００２１】
図２Ａ及び図２Ｂは、ヒーリング装置１０の靴底１４の２つの実施形態の底面図である。特に、靴底１４のかかと部分１８に１つの開口部４０を有している外底３０即ち前記靴底１４の底部が、図２Ａに示されている。図示されている実施形態では、正方形もしくは矩形の形状の開口部４０が、設けられている。しかしながら、前記開口部４０は、例えば円形もしくは楕円形の形状の、ほぼいかなる形状でも設けられ得る。
【００２２】
前述のように、前記開口部４０は、前記靴底１４を部分的に通って、もしくは貫通して延び得る。前記開口部４０は、ヒールブロックもしくは他の物体を通って、設けられ得る。更に、前記開口部４０は、前記かかと部分１８と前記土踏まず部分２０と前記前足部分２２とに、もしくはこれらの近くに、もしくはこれらの組み合わせに、位置され得る。
【００２３】
図２Ｂは、開口部４０の位置及び構造に係る第２の実施形態を示している。靴底１４のかかと部分１８に開口部４０Ａと開口部４０Ｂとを有している外底３０が、示されている。このようにして、１つもしくは複数の車軸を有する１つもしくは複数の車輪が、開口部４０Ａと開口部４０Ｂとの両方の中に位置され得る。
【００２４】
図３Ａ及び図３Ｂは、図２Ａ及び図２Ｂに示されているような靴底１４の２種類の実施形態の底面図であり、これら靴底の各開口部中の車輪を示している。これは、図３Ａの開口部４０中に位置されている車輪４２と、図３Ｂの開口部４０Ａ及び開口部４０Ｂ中の車輪４２Ａ及び車輪４２Ｂを含む。
【００２５】
前記車輪４２と、前記車輪４２Ａ及び車輪４２Ｂとは、円筒形状の車輪として示されている。しかしながら、このような車輪は、利用可能なほぼいかなる構造でも設けられ得る。更に、１つもしくは複数の車輪が、各開口部中に位置され得る。
【００２６】
図３Ａは、車軸５０に取り外し可能に結合するように使用される取り付け構造体の第１の部材４８と第２の部材５４とを含む車輪アセンブリの他の部材を、更に示している。前記車軸５０は、前記車輪４２がこの車軸５０に回転可能に結合される、即ち取り付けられるようにして、この車輪４２を通って延びている。このことは、前記車輪４２の両側での、凹部中、例えば環状の凹部中に設けられる精密軸受け、例えば高性能の精密軸受けの使用を好ましくは含む。第１の精密軸受け５６と第２の精密軸受け５８とは、ＡＢＥＣグレードの精密軸受けであり得、破線によって示されており、前記車輪４２の第１の凹部中と第２の凹部中とに位置されている。他の実施形態では、ルーズボールベアリング（loose ball bearings）が、使用され得る。
【００２７】
前記車軸５０は、物理的特徴、例えばいくつか名を挙げると強度や重量を適切に与えるいかなる材料によっても形成され得る。この車軸５０は、好ましくは硬化鋼によって形成され、円筒形状であり、両端部が丸められており、前記取り付け構造体の第１の部材４８と第２の部材５４とにそれぞれ取り外し可能に結合されている。前記車軸５０の各端部と前記第１の部材４８と前記第２の部材５４との間の取り外し可能な結合は、いかなる周知の、もしくは使用可能なメカニズムによっても果たされ得る。好ましい実施形態では、好ましくは移動可能なばね及び／もしくはスクリューの付勢（bias）を使用する球体即ちボールベアリングが、前記取り付け構造体の一方の部材のもしくは両部材と前記車軸５０との間に接し、側壁の力を与えるように使用される。
【００２８】
前記ヒーリング装置１０の使用者の体重が下方への相当の力を与え、地面が、同等の力を上方に与えるので、前記車軸５０と、従って前記車輪４２とは、通例所定の位置へと移動されることが、理解されなければならない。かかとが地面から上げられる時だけ、力もしくは摩擦が、前記車軸を所定の位置に維持するために必要となる。かくして、本発明は、前記車軸５０と前記車輪４２とを所定の位置に維持するために、大きな横力を必要としない。この事実の認識は、図示されている実施形態に関する本発明の一態様と見なされ得る。この認識によって、前記車軸５０の各端部と前記第１の部材４８と前記第２の部材５４との間の取り外し可能な結合を適切に設定することが、可能である。
【００２９】
また、図３Ａは、本発明のヒーリング装置１０と併せて使用され得る摺り足プレート（a grind plate）４４（摺動プレート４４とも称され得る）を示している。前記摺り足プレート４４は、使用者が手すり、縁石、階段、角のような種々の面の上で「摺り足」即ち「摺動」することを可能にするように、比較的滑らかな表面を設ける。この摺り足プレート４４は、好ましくは、いくらか薄く、プラスチックかポリマー材によって形成され得る。好ましい実施形態では、前記摺り足プレート４４は、前記靴底１４の外底３０の土踏まず部分２０に取り外し可能に取着される。この摺り足プレート４４は、いかなる周知のもしくは使用可能な留め具、例えば、摺り足プレート４４の周りの種々の位置に示されている留め具４６によって、取着され得る。
【００３０】
図３Ｂは、車軸５２を更に示しており、車輪４２Ａと車輪４２Ｂとが、それぞれ開口部４０Ａと開口部４０Ｂとの中でこの車軸５２の両端部に結合されている。前記車軸５２は、図３Ｂでは見えないが、前記車輪４２Ａと車輪４２Ｂとの両方を通って、また、靴底１４の一部を通って、延びている。このことは、前記車軸５２を支持するように機能し、前記靴底１４が車輪アセンブリの取り付け構造体として機能する状況を示す。かくして、部品の総数が減じられる。他の実施形態では、金属もしくは他の適切な材料が、更なる支持と安定性を与えるように、前記車軸５２が位置される前記靴底１４のかかと部分１８に、使用され得る。これは、前記取り付け構造体が実際に前記靴底１４に一体化されている例である。当業者によって理解され得るように、本発明は、いくつの方法を使用して実施されても良い。
【００３１】
図４は、本発明の一実施形態に係る、車輪アセンブリもしくはヒーリング装置に使用されるための、車輪／車軸アセンブリとも称され得る、車軸６２に回転可能に取り付けられている車輪６０の斜視図である。前記車輪６０と前記車軸６２とは、車輪／車軸アセンブリ４００とも称され得る。この実施形態では、前記車軸６２は、前記車輪６０を通って延びており、丸められたもしくは小球形状の２つの端部を有している。精密軸受け６４が、前記車軸６２を中心とした前記車輪６０の回転を促すように、前記車輪６０の凹部中に、図によると環状の凹部中に位置されている様子が示されている。好ましくは、第２の精密軸受けが、このような回転を更に促すように、図４に示されていない第２の凹部中に位置されている。
【００３２】
スリップクリップ、もしくはスリップリング、もしくはリングクリップ６６が、前記精密軸受け６４の近くのほぼ車軸６２の周りに位置されている様子が、示されている。これによって、前記精密軸受け６４が、前記車輪６０の凹部中の所定の位置に留まることが、確実となる。前記スリップクリップもしくはリングクリップ６６は、前記車軸６２の溝、例えば径方向の溝もしくは径方向のくぼみを通って、前記車軸６２上に好ましくは位置される。しかしながら、一般の当業者は、前記精密軸受け６４が所定の位置に留まることを確実にするように、種々の他のいかなる装置も使用し得ることが、理解されなければならない。他の実施形態では、精密軸受け６４が使用されないで、ルーズベアリングが使用され得る。
【００３３】
前記車軸６２に回転可能に取り付けられている前記車輪６０は、他の実施形態では、本発明の車輪アセンブリとして機能する。このような場合、前記車軸６２は、靴底、例えば中間の靴底とかかと部分とに、この車軸の両端部のところで取り付けられ得、前記車輪６０は、前記靴底の開口部中に回転可能に設けられている。このようにして、取り付け構造体の必要がないと考えられ得るか、代わって、取り付け構造体が履物の靴底に一体化されていると考えられ得る。
【００３４】
図５は、車輪アセンブリを形成するための、図４に示されているような、車軸に回転可能に取り付けられた車輪と併せて使用するための、取り付け構造体７０の斜視図である。前記取り付け構造体７０は、ヒール制御プレート７２と、第１の部材７４と、第２の部材７６とを通例有している。他の実施形態では、前記２つの部材が前記ヒール制御プレート７２に接するところに、リーフばねのようなばねが、設けられ得る。これは、より良好なクッションとサスペンションとの更なる効果を与える。前記２つの部材は、車軸の端部を受けるための開口部、例えば、前記第１の部材７４の開口部７８を有している。前記開口部は、垂直方向にいかなる構造でも設けられ得、例えば、前記部材を通って延びているか、異なる位置に位置されているか、前記車輪／車軸アセンブリ４００を引込み可能な状態及び突出した状態で前記部材に取り付けるために、複数の位置に位置されることが、注意されなければならない。
【００３５】
前記第１の部材７４と前記第２の部材７６との開口部中に位置される前記車軸は、好ましくは取り外し可能に結合される。このことは、本発明の範囲内のいくつの装置及び構造を使用して果たされても良い。このような装置の１つは、第１の部材７４に設けられているスクリュー／ばね／ボールベアリング装置８０である。この装置は、車軸が前記開口部７８中に挿入された時に、この車軸に与えられ得る調整可能な付勢、即ち力を与える。このスクリューは、使用者によってアクセス可能且つ調整可能である。前記スクリューの回転は、ばねを圧縮させ、このばねの圧縮が、前記開口部７８中に延びているボールベアリングに力を与える。前記車軸が前記開口部７８中に挿入されると、前記ボールベアリングがある程度移動され得、前記スクリュー／ばね／ボールベアリング装置８０は、前記車軸を回転可能に支持し、しかし取り外し可能にするように、横力を与える。また、同じ装置が、前記車軸６２の他方の端部に摩擦取着、即ちカップリングを与えるように、前記第２の部材７６に設けられ得る。
【００３６】
図５のスクリュー／ばね／ボールベアリング装置８０が、前記第１の部材７４の横方向の開口部を通るように実施されることが示されているが、前記部材にほぼアラインメントされた開口部を使用するように実施されても良い。例えば、前記スクリュー／ばね／ボールベアリング装置８０への張力もしくは圧力の調整が、前記スクリュー／ばね／ボールベアリング装置８０の露出した端部、通例はスクリューヘッド端部が図５の参照符号７４の引出し線が前記第１の部材７４に接しているところに位置されるような斜めの開口部によって、果たされ得る。これは、ヒーリング装置を形成するように、図６の車輪アセンブリ１００のような車輪アセンブリが靴底の開口部中に係合もしくは位置される時に、前記車軸６２への張力及び摩擦取着を調整するための比較的容易なアクセスを与える。当然、他のいかなる配置、構造、開口部の配列が、本発明で検討及び実施され得る。
【００３７】
前記取り付け構造体７０は、一般に、例えば剛性及び強度のような所望の機械的な特徴に応じて、ほぼいかなる材料によっても、形成即ち構成され得る。このような材料は、例えばプラスチック、ポリマー、金属、合金、木材、ゴム、複合材料を含み得る。これは、アルミニウム、チタニウム、鋼鉄、樹脂を含み得る。一実施形態では、前記取り付け構造体７０は、この取り付け構造体７０が黒色を示すように陽極酸化された、アルミニウムのような金属によって形成される。
【００３８】
図６は、図４に示されている前記車軸６２に回転可能に取り付けられている車輪６０と図５の取り付け構造体７０とを有する車輪アセンブリ１００の底面図である。前記第１の部材７４と前記第２の部材７６との各々は、前記スクリュー／スプリング／ボールベアリング装置８０のような付勢メカニズムによって実施される付勢メカニズムによって、前記車軸６２の両端部と取り外し可能に結合している。前記開口部７８中で前記車軸６２の一方の端部に接しているボールベアリング１０２が、示されている。更に、（スナップリングもしくはスリップリングとも称され得る）スリップクリップもしくはリングクリップ、例えばリングクリップ６６が、前記車輪の凹部中に位置されている精密軸受けが所定の位置に留まることを確実にするように、設けられている。
【００３９】
前記ヒール制御プレート７２によって、ヒーリング装置の使用者は、ヒーリング装置のより良好な制御を得て、より良好なパフォーマンスを果たし得る。
【００４０】
図７は、ヒーリング装置１２０を形成するように前記開口部の上方に及びこの開口部を通って位置されている、車輪アセンブリ１００の側面図である。ヒール制御プレート７２が、前記ヒーリング装置１２０のより良好な取り扱いと機能とを与えるように、また、使用者のかかとが前記ヒール制御プレートに所望のように圧力を与え得るように、靴の内部に設けられている。
【００４１】
図８Ａ、図８Ｂ、図８Ｃ、図８Ｄは、本発明の種々の実施形態で使用され得る車輪の表面の形状を示している、種々の車輪２００の側面図である。図８Ａには、平坦もしくは矩形の表面即ち外側の形状２０４を有する車輪２０２が、示されている。図８Ｂには、内側に反った表面の形状２０８を有する車輪２０６が、示されている。図８Ｃには、円形の表面の形状２１２を有する車輪２１０が、示されている。最後に、図８Ｄには、急勾配の表面の形状２１６を有する車輪２１４が、示されている。本発明は、ほぼいかなる使用可能な表面の形状の車輪も取り入れ得る。
【００４２】
図９は、ヒーリング装置の車輪アセンブリに使用されるための他の実施形態の取り付け構造体５００を示す斜視図である。この取り付け構造体５００は、車軸５０２を含む。この車軸５０２は、部材５０６を通るように延び且つこの部材５０６に取り付けられている１つの車軸であるか、前記部材５０６に車軸５０２とは反対側で結合している車軸５０４と一緒に部材５０６に結合している車軸５０２とであると、見なされ得る。また、前記取り付け構造体５００は、前記部材５０６と結合されたヒール制御プレート５０８を有する。
【００４３】
前記取り付け構造体５００は、２つの車輪が車輪アセンブリを形成するように取り付けられることを可能にする。一方の車輪は、好ましくは精密軸受けによって前記車軸５０２に回転可能に取り付けられ得、他方の車輪は、好ましくは前述のように精密軸受けによって前記車軸５０４に回転可能に取り付けられ得る。
【００４４】
前記車軸５０２と前記車軸５０４とは、ロックナット５１０のようなナットが各車軸に車輪を取着させるために設けられ得るように、ねじ切りされた部分を有している。他の実施形態では、示されているように外側のねじではなく内側のねじ、従って図１０に示されているように、ヘックススクリューのようなスクリューを有し得る。ほぼいかなる使用可能なカップリングが車軸と部材との間に設けられ得ることが、理解されなければならない。
【００４５】
図１０は、ヒーリング装置に使用するための、更なる他の実施形態を使用する車輪アセンブリ５２０を示す、斜視図である。この車輪アセンブリ５２０は、精密軸受け５２６によって車軸５２４に回転可能に取り付けられている車輪５２２と、ヘックススクリューのようなスクリュー５３２によって前記車軸５２４の各端部に結合されている第１の部材５２８及び第２の部材５３０とを有する。この車輪アセンブリ５２０は、車輪／車軸アセンブリが容易に挿入及び取り外しされ得ないことを除いて、図６に関連して前述された車輪アセンブリ１００と同じである。
【００４６】
図１１は、靴底６０４に設けられている車輪アセンブリ６０２と、前記靴底６０４を貫通していない靴底６０４の開口部６０６とを示している、ヒーリング装置６００の一実施形態を示す部分的に切り取られた側面図である。取り付け構造体６０８が、前記靴底６０４に設けられているかこれに一体成形され得、すぐに即ち容易に取り外され得ない。また、車輪６１０が、前記靴底６０４の底部の下に部分的に突出している様子が示されており、これがステルスヒーリングの効果を与える。
【００４７】
図１２は、車輪６２４と靴底６２８の開口部６２６とを覆うように位置されている取り外し可能な車輪カバー６２２を備えた、本発明のヒーリング装置６２０を示す他の実施形態の側面図である。前記取り外し可能な車輪カバー６２２は、車輪を、前記靴底６２８の底面の下方に突出している状態でありながら回転走行する地面に接していない状態にすることを、可能にする。本発明のヒーリング装置６２０は、車輪が地面に接した状態であっても、使用者の歩行及び走行が可能であるが、前記取り外し可能な車輪カバー６２２は、ごみや埃からの保護を与え、より良好な安定性を与える。
【００４８】
他の実施形態では、図１２には示されていない車輪ストッパが、車輪６２４の回転を止めるように、前記取り外し可能な車輪カバー６２２の代わりに、もしくはこれと関連して、設けられ得る。一実施形態では、前記車輪ストッパは、スポンジ即ち可撓性の材料のような材料によって形成されており、また、前記車輪ストッパは、車輪６２４の回転を止めるか回転を防ぎ、且つ前記車輪６２４を摩擦によって所定の位置に留めるように、車輪６２４と開口部６２６との間に詰められ得る。
【００４９】
前記車輪カバー６２２の他の実施形態では、車輪カバーは、前記車輪６２４が前記ヒーリング装置６２０から取り外された時に設けられる。好ましい実施形態では、この車輪カバーは、靴底６０８の残りの底部とほぼ同一平面であり、従って、所望に応じて普通の靴の機能を果たし、開口部を保護する。この車輪カバーは、いかなる使用可能な方法でも結合し得るが、好ましくは、車輪／車軸アセンブリが取り付け構造体に結合するのと同じもしくは類似した方法で、車輪アセンブリに結合する。前記取り外し可能な車輪カバーは、前記車輪アセンブリに、多くの他の方法でクリップ即ち取着し得る。
【００５０】
図１３は、車輪として機能し、靴底７０６のかかと部分の開口部中の取り付け構造体７０４に位置されている球形状のボール７０２を備えたヒーリング装置７００の他の実施形態を示す底面図である。
【００５１】
図１４は、「かかとで地面を蹴る（ヒーリングする）」ために本発明を使用している「ヒーラー」８００を示す斜視図である。ヒーリングは、種々の技術によって果たされ得、一般に、バランスと、位置づけと、柔軟性と、調整との一連の技術を必要とする。
【００５２】
地面でヒーリング装置を使用するための一例の方法は、地面に接するようにヒーリング装置の靴底の前足部分を使用することによって、地面上を走行することと、地面に接するようにヒーリング装置の車輪を使用することによって、靴底の開口部を通って靴底の底部の下に突出しているヒーリング装置の車輪によって地面上で回転走行することとを、含み得る。この方法は、地面上を走行する前に、ヒーリング装置の靴底部分の底部の下に突出しているヒーリング装置の車輪を備えたヒーリング装置を装着したまま地面上を歩行することを含む。ヒーリングは、坂、即ち傾斜を有する地面上でも行われ得る。
【００５３】
また、ヒーリングの方法は、地面上を歩行する前に、前記ヒーリング装置の車輪を、ヒーリング装置の靴底部分の底部の下に突出するように係合することを含み得る。この方法は、前記ヒーリング装置の車輪を係合する前に、即ちヒーリング装置の車輪が引込められた状態で、ヒーリング装置を装着したまま地面上を歩行することを含み得る。この方法の変形例は、地面上での回転走行の直後に、ヒーリング装置の靴底の前足部分を地面に接するように使用して地面上を走行することによって、地面上での回転走行から、地面上での走行と歩行と停止とのいずれかに変えることを、含み得る。
【００５４】
前記ヒーラー８００によるヒーリングの間の好ましい位置が、図１４に示されており、地面上での回転走行の間に、一方のヒーリング装置８０２が、他方のヒーリング装置８０４の正面に置かれている。前記ヒーリング装置８０４の後ろのかかと部分８０６から分かるように、前記後ろのかかと部分８０６と地面との間の間隙は、時々小さい。この結果として、好ましい実施形態では、前記後ろのかかと部分８０６は、耐磨耗材料によって形成されている。
【００５５】
また、ヒーリングの方法は、減速するためのもしくは停止するためのいくつもの技術を実施し得る。例えば、ヒーリング装置の靴底の前足部分を地面に当接させて摩擦を生じさせ、且つ地面から車輪を離すことによって、回転走行を減速させ得る。他の例は、ヒーリング装置の靴底のかかと部分を地面に当接させることによって、回転走行を減速させることを含む。
【００５６】
図１５は、車輪／車軸アセンブリ９００とも称され得る、図４と類似した、短くすることが可能な車軸９０４に回転可能に取り付けられている車輪を示す斜視図である。この短縮可能な車軸９０４は、いくつもの方法で実施され得、例えば、図１６に示されている車軸のようなばね付勢の調節可能な車軸、もしくはスクリュー式の短縮可能な車軸であり得る。このことによって、前記車輪／車軸アセンブリ９００がヒーリング装置に実施される場合に、前記車輪／車軸アセンブリ９００をより容易に取り外し、及び／もしくは車輪が地面に接しない位置へと引っ込ませることが可能となる。
【００５７】
図１６は、ばね付勢の短縮可能な車軸として実施される、図１５の車輪／車軸アセンブリ９００の短縮可能な車軸９０４を示す断面図である。示されているように、前記短縮可能な車軸９０４は、内側のばね力を克服するように、前記短縮可能な車軸９０４の両端部を内側に圧縮することによって、調整即ち短縮され得る。
【００５８】
図１７は、車輪アセンブリを形成するように、図１５及び図１６にそれぞれ示されている車輪／車軸アセンブリ９００及び短縮可能な車軸９０４と併せて使用するための、他の取り付け構造体９２０を示す斜視図である。前記短縮可能な車軸９０４は、前記車輪が引っ込められた位置にあるように、第１の部材９２２と第２の部材９２４とに、これら第１の部材９２２と第２の部材９２４との各第１の位置９２６で、結合し得る。前記短縮可能な車軸９０４は、前記車輪が突出した位置にあるように、前記第１の部材９２２と第２の部材９２４との各第２の位置９２８で結合し得る。
【００５９】
図１８は、引込み式の車輪９４８を提供するためにキングピン装置もしくは二重キングピン装置と称され得るアセンブリによって取り付け構造体９４６に結合する車軸９４４の実施形態を示しており、また、靴底９４２の開口部を通るように位置されている車輪アセンブリ９４０を示す断面側面図である。かくして、引込み式の車輪９４８が、所望のように、上下に、即ち引込められた位置から突出した位置へと調整され得る。前記取り付け構造体９４６の部材のねじ切りされた開口部中にねじ込むようにして係合されている（ねじ切りされたスクリュー即ちボルトとして実施され得る）キングピン９５０が、示されている。前記キングピン９５０が前記部材の開口部中に更にねじ込まれるのに従って、前記車軸９４４は、更に引込められ得る。キングピン９５０は、車軸９４４の他方の側を上昇させるように他方の部材にも設けられ得る。他の実施形態では、例えば図９の取り付け構造体５００では、前記部材と前記車軸との結合によって引込み式の車輪を構成するように、単一のキングピンが、単一の部材を通って設けられ得る。
【００６０】
キングピンタイプのアセンブリの一例が、１９７９年７月１８日付けで提出されて１９８１年１０月２０日に発行されたDavid L. Landay, et al による特許文献８に示されており、この文献は、あらゆる目的で参照として本書に含まれている。この特許は、本発明の実施形態に実施され得るキングピンタイプのアセンブリを示している。
【００６１】
図１９は、図１８の車輪アセンブリ９４０を示す底面図であり、前記取り付け構造体９４６の部材を通る２つのキングピン９５０と二重キングピン装置とを更に示している。
【００６２】
図２０は、取り付け構造体９４６の一部材を示し、図１８と同様に、二重キングピン装置による車軸９４４の前記取り付け構造体への結合を更に示す側面図である。前述のように、このことによって、前記車軸９４４と、従ってこれに取着されている車輪とが、引込められた位置から突出した位置まで、いかなる所望のレベルにも、変化され得る。
【００６３】
前記車軸が、いかなる使用可能な技術によっても、また、ほぼ無限の数の方法によっても、取り付け構造体の一部材に結合し得ることが、理解されなければならない。例えば、車軸は、引込められた位置から突出した位置へと、ばね装置によって移動するように、取り付け構造体の第１の部材及び第２の部材に結合し得る。同様に、車軸は、引込められた位置から突出した位置へと、ヒンジ留めされた装置によって移動するように、取り付け構造体の第１の部材と第２の部材とを結合し得る。
【００６４】
多くの他の例が可能であり、例えば、１９７５年５月２３日付けで提出されて１９７６年１０月５日に発行されたWalter Schreyer, et alによる特許文献９が、本発明の実施形態で実施され得る引込み可能なメカニズムを示している。この文献は、あらゆる目的のために参照として本書に含まれている。また、１９９７年６月２０日付けで提出されて１９９８年７月２８日に発行されたRaymond J. Gallantによる特許文献１０が、同時に引込み可能な車輪を示している。この文献もまた、あらゆる目的のために参照として本書に含まれている。
【００６５】
図２１は、内側の芯９７２と、ウレタン車輪のような外側のタイヤ９７４と、（当業者に対して示されなくて良い）車軸９７６と、ベアリング９７８とを有する、本発明に使用され得るツーピースの車輪９７０を示す分解斜視図である。好ましい実施形態では、前記ベアリング９７８は、前記ツーピースの車輪９７０と比較すると小型であり、例えば、前記ベアリング９７８は、前記外側のタイヤ９７４の外径の半分より小さい外径を有し得る。このことによって、柔らかい履き心地（a softer ride）と、良好な制御と、長い耐久性とを含む重要な効果が与えられ得る。これは、前記外側のタイヤ９７４がより大きく厚いためである。他の実施形態では、ベアリング９７８は、比較的大きく、外側のタイヤ９７４の外径の半分より大きい外径を有する。好ましい実施形態では、ツーピースの車輪の内側の芯の部分は、強化されたベアリング支持部に対して剛性を与える比較的硬い材料によって形成されており、外側のタイヤの部分は、改良されたパフォーマンス及び静かな進行のために、軟性のウレタンのような軟性の材料によって形成されている。このようなタイプの車輪は、「デュアルデュロメータ」タイプの車輪とも称され得る。
【００６６】
図２２Ａは、一実施形態に従った車輪付きプラットフォーム装置１０００を示す等尺側面図である。この車輪付きプラットフォーム装置１０００は、好ましくは、後部１０２０と中間部１０３０と前部１０４０と上面１０５０と底面１０６０とを有しておりシャーシとして動作するプラットフォーム１０１０を有している。いくつかの実施形態では、前記プラットフォームは、デッキプレート１０１２を有し得、いくつかの実施形態では、デッキプレート１０１２は、図３８及び図４１Ｄに示されているようなデッキプレート１５１０に、相互に交換して称され得る。前記底面１０６０の前部１０４０は、前記車輪付きプラットフォーム装置１０００の回転走行を促すように、前記底面１０６０中に設けられた第１の即ち前側の車輪１０７０と、前記プラットフォーム１０１０の前記底面１０６０中に設けられた第２の即ち後ろ側の車輪１０８０とを有している。いくつかの実施形態では、第１の車輪１０７０及び／もしくは第２の車輪１０８０は、前記第１の車輪１０７０及び／もしくは第２の車輪１０８０の少なくとも一部が、前記車輪付きプラットフォーム装置１０００が上を回転走行する地面、例えばコンクリート、アスファルト、もしくは他の適切な地面との当接のために、前記プラットフォーム１０１０の底面１０６０の下に少なくとも部分的に突出するように、前記プラットフォーム１０１０内に少なくとも部分的に収容され得る。更なる他の実施形態では、第１の車輪１０７０及び／もしくは第２の車輪１０８０をプラットフォーム１０１０内に少なくとも部分的に収容することによって、前記プラットフォーム１０１０は、地面の比較的近くに位置され得、このことによって、車輪付きプラットフォーム装置１０００の重心が低くなり、前記車輪付きプラットフォーム装置の安定性と安全性とが高まる。
【００６７】
いくつかの実施形態では、プラットフォーム１０１０は、金属、木材、生物繊維（biofiber）、プラスチック、ポリマー、セラミック、複合材料、アクリル、再生可能なもしくは再生された材料、もしくは使用者の体重を目的どおりに即ち所望のように支持し得る他の適切な材料によって、形成され得る。
【００６８】
図２２Ａを再度参照すると、いくつかの実施形態では、第１の車輪１０７０と第２の車輪１０８０とは、プラットフォーム１０１０の中心に沿って後部１０２０から前部１０４０へと延びている前記プラットフォーム１０１０の長手方向の中心線に少なくとも部分的に沿って位置され得、また、例えば図２２Ｂ及び図２３によって更に示されているように、前記第１の車輪１０７０が、前記プラットフォーム１０１０の前部１０４０に位置され、前記第２の車輪１０８０が、前記プラットフォーム１０１０の後部１０２０に位置される。前記長手方向の中心線の全体的な方向は、図２８、図２９Ａ、図２９Ｅ、図４１Ｆによって全体的に更に示されている。これら図は、かかととつま先とが、前記プラットフォーム１０１０の回転方向であるプラットフォーム１０１０の前記長手方向の中心線に主に沿って位置されているヒーリング装置２０００を、示している。他の実施形態では、第１の車輪１０７０もしくは第２の車輪１０８０が、プラットフォーム１０１０の中間部１０３０に部分的にもしくは全体的に位置され得る。更に、他の実施形態では、第１の車輪１０７０と第２の車輪１０８０とは、プラットフォーム１０１０の長手方向の中心線からオフセットして位置され得る（即ち、前記第１の車輪１０７０と前記第２の車輪１０８０とは、前記プラットフォーム１０１０の底面１０６０と、前記底面１０６０に沿ったいかなる位置でも、相互接続するように、位置され得る）。
【００６９】
他の実施形態では、車輪は、隣り合った位置やインラインを含む周知のもしくは所望のほぼいかなる位置にも、位置もしくは構成され得る。例えば、第１の車輪１０７０と第２の車輪１０８０とが、これら両車輪が車輪付きプラットフォーム装置１０００と使用者の足との間の接触領域の下に位置されるようにして、プラットフォーム１０１０の底面１０６０に近接して位置される場合、使用者の安全性と車輪付きプラットフォーム装置１０００の制御とが、足で前記車輪付きプラットフォーム装置１０００を操縦する使用者の能力に少なくとも部分的に基づいて、向上され得る。更に、前記車輪付きプラットフォーム装置１０００が前記第１の車輪１０７０と前記第２の車輪１０８０とに加えて複数の車輪を有し得ることが、理解されなければならない。
【００７０】
他の実施形態では、第１の車輪１０７０及び／もしくは第２の車輪１０８０が、プラットフォーム１０１０に対して、固定して取着されていても、取り外し可能であっても、引込み式であっても良い。
【００７１】
図４７Ａ乃至図４７Ｃを参照すると、他の実施形態では、第１の車輪１０７０及び／もしくは第２の車輪１０８０が、車輪付きプラットフォーム装置１０００に、摩擦取着か、スナップ取着か、前述のような且つ図５、図６、図９、図１０、図１７、図１８、図１９に示されているような他の適切な取着によって取着され得る。
【００７２】
他の実施形態では、第１の車輪１０７０及び／もしくは第２の車輪１０８０が、方向回転のために垂直軸上で３６０度の範囲に渡って方向付け可能な回り継ぎ手に取着されている車輪であり得る。このような車輪は、キャスター車輪としても知られている。３６０度の範囲の少なくとも一部分に沿って方向付け可能な他のタイプの車輪、例えばボールベアリングもしくは球形状のトラックボールが使用され得る。
【００７３】
更なる実施形態では、第１の車輪１０７０及び／もしくは第２の車輪１０８０が、１つもしくは複数のＬＥＤ、もしくは他の照明装置によって、バッテリーパワー、誘起パワー、もしくは照明装置に動力を供給するための他の適切な手段で照明され得る。
【００７４】
図２２Ａ、図２３、図２４、図２５、図２６、図２７、図２９Ａ、図２９Ｂ、図２９Ｃ、図２９Ｄ、図３１、図３２、図３３、図３４、図３５、図３６Ａ、図３６Ｂ、図３７、図４８を全体的に参照すると、プラットフォーム１０１０の上面１０５０に接続している、もしくはこれに近接して位置されている取着構造体１０９０が、スナップ取着、磁気取着、他の適切な結合手段によって、車輪の付いていないもしくは車輪付き履物、例えばヒーリング装置２０００、四輪スケート２００４、インラインスケート２００６、外車輪アセンブリ２００８、もしくは他の車輪付きスケート、もしくは使用者の足と結合するために、設けられている。いくつかの実施形態では、ヒーリング装置２０００、四輪スケート２００４、インラインスケート２００６、及び／もしくは外車輪アセンブリ２００８が、使用者の足、もしくは履物にスナップ取着、摩擦取着、ストラップ取着する、もしくは他の方法で留められる取り外し可能な、もしくは固定された車輪アセンブリを有し得る。図２９Ｄを再度参照すると、前記外車輪アセンブリ２００８は、回転走行のための地面に当接させるための履物の底部の下に突出している車輪の少なくとも一部分に取着される１つもしくは複数の車輪を有するフレームによって、構成され得る。いくつかの実施形態では、前記外車輪アセンブリ２００８のフレームは、１つもしくは複数のストラップ、摩擦取着、スナップ取着、もしくは他の適切な結合手段によって、使用者の足もしくは履物に着脱可能に取り付けられる。
【００７５】
図４８を再度参照すると、他の実施形態では、取着構造体１０９０の使用は、ヒーリング装置２０００のような車輪の付いていないもしくは車輪付きの履物との安定した接続をもたらし、これによって、使用者による車輪付きプラットフォーム装置１０００の制御を向上させる。そして、スケートボードのような他の車輪付きプラットフォームによく生じるような、使用者の足と車輪付きプラットフォーム装置１０００との間での横揺れや、使用者の足が前記車輪付きプラットフォーム装置１０００から離れることが、なくなるか実質的に減じられ、これによって制御能力、操縦機能、パフォーマンス（例えばトリックもしくはスタント）、安全性を高める。
【００７６】
更なる他の実施形態では、取着構造体１０９０は、ヒーリング装置２０００のかかと部分のみにしっかりと取着し、これによって、バックルで留めることやひもで縛ること、もしくは扱いにくい締め付け取着装置、例えば履物用ストラップを調整することの必要がなくなる。いくつかの実施形態では、取り付け構造体１０９０が、ヒーリング装置２０００のかかとに位置する凹んだかかと開口部、及び／もしくは車輪取り付け構造体に結合するために、プラットフォーム１０１０の上面１０５０から突出している。前記かかと開口部、及び／もしくは車輪取り付け構造体は、前述の、及び／もしくは図２Ａ、図２Ｂ、図３Ａ、図３Ｂ、図５、図６、図９、図１０に概して示されているように、実施され得る。
【００７７】
いくつかの実施形態では、取着構造体１０９０は、プラットフォーム１０１０の上面１０５０の後部１０２０に、プラットフォーム１０１０の長手方向の中心線に沿って、好ましくは位置されている。しかしながら、他の実施形態では、前記取り付け構造体１０９０は、ヒーリング装置２０００、四輪スケート２００４、インラインスケート２００６、外車輪装置２００８もしくは他の車輪付きスケート、もしくは使用者の足を含む車輪の付いていないもしくは車輪付き履物との結合を可能にするプラットフォーム上のいずれの位置にも、位置され得る。他の実施形態では、図４４に示されているように、取着構造体１０９０が、車輪付きプラットフォーム装置１０００の上面１０５０に近接して、もしくは部分的にこの領域内に、ヒーリング装置２０００、四輪スケート２００４、インラインスケート２００６、外車輪アセンブリ２００８、もしくは他の車輪付きスケート、もしくは使用者の足を含む車輪の付いていないもしくは車輪付き履物との結合を可能にするように動作可能な方法で、位置され得る。取着構造体１０９０は、いくつかの実施形態では、車輪付きプラットフォーム装置１０００のプラットフォーム１０１０の長手方向の中心線もしくは回転方向からオフセットした角度で、傾斜し得る。例えば、車輪の付いていないもしくは車輪付き履物もしくは使用者の足を、前記プラットフォーム１０１０の長手方向の中心線にほぼ沿って位置づけることは、前記車輪付きプラットフォーム装置１０００の長手方向の中心線もしくは回転方向からプラスマイナス１５度以内の角度で行われ得る。他の実施形態では、例えば、車輪の付いていないもしくは車輪付き履物もしくは使用者の足を、プラットフォーム１０１０の長手方向の中心線にほぼ沿って位置づけることは、車輪付きプラットフォーム装置１０００の長手方向の中心線もしくは回転方向からプラスマイナス４５度以内の角度で行われ得る。他の角度も可能であり、使用者の好みの問題である。
【００７８】
図４５を参照すると、他の実施形態では、プラットフォームから突出している取着構造体１０９０が、ヒーリング装置２０００の、前述の、及び図２Ａ、図２Ｂ、図３Ａ、図３Ｂ、図５、図６、図９、図１０に示されているようなかかと開口部及び／もしくは車輪取り付け構造体によって受けられ得る。この取着構造体１０９０は、前記ヒーリング装置２０００に、摩擦取着によって、スナップ取着によって、磁気取着によって、もしくはヒーリング装置２０００へと延びている車軸凹部と相互接続するための例えば曲線状の突出部１０９２を含む他の適切な結合手段によって、取り外し可能に取着し得る。
【００７９】
図３１及び図４５を参照すると、いくつかの実施形態では、取着構造体１０９０が、種々の実施形態及び大きさのヒーリング装置２０００と結合するように調整可能であり得、これらヒーリング装置のいくつかは、異なるディメンション及び構造のかかと開口部及び／もしくは取り付け構造体を含み得る。例えば、取着構造体１０９０は、ヒーリング装置２０００のかかとの底面の開口部中に延びている車軸凹部もしくは車輪開口部と相互接続するように、曲線状の突出部１０９２を有し得る。この曲線状の突出部１０９２は、前記取着構造体１０９０の内側方向への、ばねからの付勢を受けて、もしくは他の適切なメカニズムによって、広がる即ち延びることが可能であり、従って、前記ヒーリング装置２０００の特定の実施形態の、かかと開口部のような開口部と結合するように、前記曲線状の突出部１０９２の軸方向の長さもしくは広さを変えることが可能である。
【００８０】
図３１及び図４５を再度参照すると、いくつかの実施形態では、取着構造体１０９０は、プラットフォーム１０１０の上面１０５０の後部１０２０から、このプラットフォーム１０１０の長手方向の中心線に沿って突出しており、フック、摩擦取着、磁気取着、もしくは他の適切な手段によって、ヒーリング装置２０００に取着されている車軸構造体１１３０と、結合、即ち相互接続するように形成されている。前記車軸構造体１１３０は、固定のバー、もしくは、ばねもしくは他の適切な手段によって長さを調節可能である軸方向に付勢されたバーであり得、従って、全体の長さが調節され得、かくして、前記車軸構造体１１３０を種々の大きさのかかと開口部と接続することが可能である。これら開口部は、前述のように、種々の大きさのヒーリング装置を含むヒーリング装置２０００の種々の実施形態の、種々の大きさの車輪及び車軸アセンブリと協動する。
【００８１】
図３２及び図３３を参照すると、更なる他の実施形態では、取着構造体１０９０が、車輪１３２０の第１の側面部分１３２２及び第２の側面部分１３２４の凹部と結合する第１のクランプアーム１３３０及び第２のクランプアーム１３４０を有し得、もしくは、ヒーリング装置２０００、もしくはインラインスケートもしくは四輪スケートを含む他の履物から突出している他の突出部を有し得る。
【００８２】
図３３を再度参照すると、更なる他の実施形態では、取着構造体１０９０が、車輪１３２０と結合するようにプラットフォーム１０１０中に延び得る凹部１３１０、もしくは、ヒーリング装置２０００、もしくはインラインスケートや四輪スケートを含む他の履物から突出している他の突出部を有し得る。
【００８３】
更なる他の実施形態では、車輪付きプラットフォーム装置１０００の、ヒーリング装置２０００への、もしくは他のタイプの車輪付き履物もしくは車輪付きスケートへの取着が、取着構造体１０９０から突出している、もしくは前記車輪付きプラットフォーム装置１０００から直接に突出している１つもしくは複数の突出部によって行われ得る。１つもしくは複数の突出部は、摩擦取着によって、前記車輪の少なくとも一部分に結合する。いくつかの実施形態では、結合する突出部は、「ｃ」字形状の曲線状の突出部であり得、車輪の少なくとも一部分を取り囲み、摩擦取着によって結合する。更なる他の実施形態では、１つもしくは複数の結合する突出部が、車輪の一部分とヒーリング装置２０００の凹部との間に摩擦取着を形成するように、使用され得る。
【００８４】
図４８を再度参照すると、更なる他の実施形態では、車輪付きプラットフォーム装置１０００の、ヒーリング装置２０００への、もしくはインラインスケートもしくは他の車輪付きスケートもしくは車輪の付いていない履物を含む他の形態のスケートもしくは履物への取着が、スノースキー、スノーボード、自転車のペダルのロックなどに使用されるようなレバー駆動もしくは力駆動の結合システムを、取着構造体１０９０として含み得る。このようなシステムは、ヒーリング装置２０００、インラインスケート、もしくは他の車輪付きスケートを含む、車輪の付いていないもしくは車輪付き履物の外側のかかと部分の周りに取着することが可能な結合部材を、含み得る。ヒーリング装置２０００、インラインスケート、もしくは他の車輪付きスケートもしくは使用者の足を含む車輪の付いていないもしくは車輪付き履物を、車輪付きプラットフォーム装置１０００に取着するための他の実施形態は、車輪の付いていないもしくは車輪付き履物もしくは使用者の足を前記車輪付きプラットフォーム装置１０００に取着するためのストラップを含む。
【００８５】
前記取着構造体１０９０は、プラスチック、ポリマー、複合材料、セラミック、金属、他の適切な材料によって形成され得る。
【００８６】
図２２Ｂは、取着構造体１０９０を有していない車輪付きプラットフォーム装置１０００の一実施形態を示している。
【００８７】
図３４、図３５、図３６Ａ、図３６Ｂ、図３７は、車輪付きプラットフォーム装置１０００の実施形態を示しており、プラットフォーム１０１０は、このプラットフォーム１０１０の上面１０５０に近接して位置されているデッキプレート１０１２を有している。このデッキプレートは、いくつかの実施形態では、図３８、図４１Ｄに示されているようなデッキプレート１５１０に、相互に交換して称され得る。いくつかの実施形態では、デッキプレート１０１２は、プラットフォーム１０１０に取り外し可能に取着され得る。更なる他の実施形態では、デッキプレート１０１２は、プラットフォーム１０１０に固定して取着され得る。
【００８８】
図３４及び図３５を再度参照すると、デッキプレート１０１２は、取着構造体１０９０を、プラットフォーム１０１０に、前記デッキプレート１０１２がこれらの間に位置するにように留めることによって、前記プラットフォーム１０１０に取り外し可能に取着され得る。更なる他の実施形態では、取着構造体１０９０は、デッキプレート１０１２のプラットフォーム１０１０に対する横揺れと他の横方向の移動とを制限することによって、前記デッキプレート１０１２の前記プラットフォーム１０１０への取着を強めるように、デッキプレートの切取り部１０１３と互いに取着し得る突出部１０９４を有する。
【００８９】
図４６Ａ及び図４６Ｂを参照すると、更なる他の実施形態では、プラットフォーム１０１０が、デッキプレート１０１２の例えば端部のような一部分をリップもしくは他の突出部と前記プラットフォーム１０１０との間にスライディング、スナッピング、もしくは他の方法で位置させるためのリップもしくは他の突出部を有し得、これによって、前記デッキプレート１０１２を前記プラットフォーム１０１０に取着させる。他の実施形態では、前記デッキプレート１０１０を前記車輪付きプラットフォーム装置１０００から取り外すことは、デッキプレート１０１２の例えば端部のような一部分をリップもしくは他の突出部と前記プラットフォーム１０１０との間にスライディング、スナッピング、もしくは他の方法で位置させるために、前記デッキプレート１０１２の後部を上げて、このデッキプレートを後方に引っ張り、リップもしくは他の突出部から離すことによって、行われ得る。
【００９０】
図３６Ａ及び図３６Ｂを再度参照すると、更なる他の実施形態では、取り外し可能なデッキプレートロック構造体１０１４が、取着の点を与えるように使用され得る。このデッキプレートロック構造体１０１４は、単体で、もしくは図３４、図３５に示されているように、デッキプレート１０１２をプラットフォーム１０１０に取着させるための取り付け構造体と組み合わせて、使用され得る。前記取り外し可能なデッキプレートロック構造体１０１４は、前記プラットフォーム１０１０に、ねじ留め、ボルト留め、スナップ取着、もしくは他の適切なメカニズムによって留められ得る。前記デッキプレート１０１２は、これらデッキプレートロック構造体１０１４と前記プラットフォーム１０１０との間に位置されて取着されるか、前記デッキプレート１０１２と相互接続するように、前記デッキプレートロック構造体１０１４から外側に延びているリップもしくは他の突出部によって取着される。いくつかの実施形態では、デッキプレートロック構造体１０１４が、プラットフォーム１０１０の前足部分１０４０に位置され得るが、更なる他の実施形態では、デッキプレートロック構造体１０１４は、プラットフォーム１０１０のどの位置にでも位置され得る。更なる他の実施形態では、デッキプレートロック構造体１０１４は、プラスチック、ポリマー、複合材料、セラミック、金属もしくは他の適切な材料によって形成され得る。
【００９１】
図３７を再度参照すると、更なる実施形態では、取り外し可能なデッキプレート留め具１０１６が、プラットフォーム１０１０のプラットフォーム凹部１０１８と摩擦及び／もしくはスナップ取着によって結合して取着のメカニズムを与えるように、デッキプレート１０１２の下側に近接して位置され得る、及び／もしくは、このデッキプレート１０１２の下側から延び得る。このデッキプレート留め具１０１６は、単体で、もしくは、図３４、図３５、図３６Ａ、図３６Ｂに示されているように、前記デッキプレート１０１２を前記プラットフォーム１０１０に取着させるために、取着構造体１０９０及び／もしくはデッキプレートロック構造体１０１４と組み合わせて、使用され得る。更なる他の実施形態では、デッキプレート留め具１０１６は、プラスチック、ポリマー、複合材料、セラミック、金属、もしくは他の適切な材料によって形成され得る。
【００９２】
図３４及び図３５を再度参照すると、更なる実施形態では、デッキプレート１０１２は、使用者の足もしくは履物とのグリップを強めるように、ギザギザがつけられているか、テクスチャード加工され得、このことによって、使用者による車輪付きプラットフォーム装置１０００の制御を向上させる。このような向上された制御は、この車輪付きプラットフォーム装置１０００による方向的な操縦と、スタントパフォーマンスと、技術を要する操作と、芸当とのための、使用者による使いやすさの向上に貢献し、更に安全性を高める。更なる他の実施形態では、デッキプレート１０１２は、美的な魅力を高めるために、絵や色を有し得る。
【００９３】
図３４、図３５を再度参照すると、他の実施形態では、デッキプレート１０１２は、車輪付きプラットフォーム装置１０００と使用者とに対して衝撃の吸収及び／もしくはサスペンションを与えるように、緩衝材、例えばポリマー、ゲル、ゴム、もしくは他の物質によって形成され得るか、このような材料を含み得る。更なる他の実施形態では、デッキプレート１０１２は、車輪付きプラットフォーム装置１０００と使用者とに対して機械的な力や衝撃を吸収し及び／もしくはサスペンションを与え得る緩衝材、例えばゲル、ゴム、液体、カプセルに封入されたガス、もしくは他の適切な物質を含み得る。更なる他の実施形態では、車輪付きプラットフォーム装置１０００と使用者とに対して衝撃の吸収及び／もしくはサスペンションを与えるように、緩衝材、例えばゲル、ゴム、液体、カプセルに封入されたガス、もしくは他の適切な物質が、デッキプレート１０１２内に部分的にもしくは全体的に収容され得、もしくは、デッキプレート１０１２に近接して位置され得る。更なる他の実施形態では、車輪付きプラットフォーム装置１０００と使用者とに対して衝撃の吸収、及び／もしくはサスペンションを与えるように、緩衝材、例えばゲル、ゴム、液体、カプセルに封入されたガス、もしくは他の適切な物質が、デッキプレート１０１２の上方に、及びこれに近接して位置され得る。更なる他の実施形態では、車輪付きプラットフォーム装置１０００と使用者とのに対して衝撃の吸収、及び／もしくはサスペンションを与えるように、緩衝材、例えばゲル、ゴム、液体、カプセルに封入されたガス、もしくは他の適切な物質、及び／もしくはばね、発泡体もしくは他の適切な緩衝材、及び／もしくはサスペンションが、プラットフォーム１０１０の上面１０５０に近接して、及び、デッキプレート１０１２の下側に、これに近接して位置され得る。
【００９４】
図３４及び図３５を再度参照すると、他の実施形態では、デッキプレート１０１２は、例えば、ゲル、ゴム、液体、カプセルに封入されたガス、もしくは他の適切な物質のような緩衝材、及び／もしくはばね、発泡体、もしくは他のタイプの適切な緩衝部材、及び／もしくはサスペンションがデッキプレート１０１２から美的に見えるように、少なくとも部分的に透明であるか、少なくとも部分的に半透明であるか、少なくとも部分的に不透明でない。更なる他の実施形態では、プラットフォーム１０１０が、車輪付きプラットフォーム装置１０００を照明するための照明装置、例えばＬＥＤもしくはライトを収容し得る。このような照明装置は、バッテリーパワー、ソーラーパワー、もしくは他の適切なパワー手段によって動力を与えられ得る。更なる他の実施形態では、照明装置は、第１の即ち前側の車輪１０７０、及び／もしくは第２の即ち後ろ側の車輪１０８０中に内蔵されている、もしくは、これら車輪と関連した誘起モータによって動力を与えられ得る。更なる他の実施形態では、照明装置が、少なくとも部分的に透明であるか、少なくとも部分的に半透明であるか、少なくとも部分的に不透明でないデッキプレート１０１２を通して光を投影し得る。ここで説明されるいかなる方法もしくはいかなる他の適切な方法によっても、車輪付きプラットフォーム装置１０００の照明は、車輪付きプラットフォーム装置１０００の、即ち使用者の視界を改良することによって、使用者に対する安全性を高める。
【００９５】
図３４及び図３５を再度参照すると、他の実施形態では、デッキプレート１０１２が、プラスチック、ポリマー、複合材料、セラミック、金属、もしくは他の適切な材料によって形成され得る。
【００９６】
図２２Ａ、図２３、図２９Ａ、図２９Ｂ、図２９Ｃ、図２９Ｄは、種々の技術や芸当をパフォーマンスしながら、地面に沿って摺動即ち「摺り足」するために使用されるアーチ形状の摺り足構造体１１０６を有する車輪付きプラットフォーム装置１０００の実施形態を示す。この摺り足構造体１１０６は、プラットフォーム１０１０の中間部１０３０の底面１０６０に沿って通例位置されているが、このプラットフォーム１０１０の後部１０２０及び／もしくは前部１０４０の底面１０６０に延びていても良い。いくつかの実施形態では、摺り足構造体１１０６は、プラットフォーム１０１０に固定して取着され得るか、プラットフォーム１０１０から取り外し可能であり得る。更なる他の実施形態では、摺り足構造体１１０６は、プラットフォーム１０１０から連続した固定の部分としてモールド成形され得る。更なる他の実施形態では、摺り足構造体１１０６は、テクスチャード加工され得る。更なる実施形態では、摺り足構造体１１０６は、金属、プラスチック、ポリマー、セラミック、複合材料、もしくは「摺り足」のために適切な他の材料によって形成され得る。いくつかの実施形態では、摺り足構造体１１０６は、プラットフォームと同じ材料によって形成され得る。
【００９７】
図２２Ａ、図２２Ｂ、図２３、図２４、図２５、図２７、図２９Ａ、図２９Ｂ、図２９Ｃ、図２９Ｄ、図２９Ｅ、図３０Ａ、図３０Ｂ、図３０Ｃ、図３０Ｄ、図３１は、乗せた状態もしくは回転走行状態の間に、ヒーリング装置２０００、もしくは四輪スケート２００４、インラインスケート２００６、外車輪アセンブリ２００８を含む他のスケートもしくは回転走行装置の前足部分を乗せるための、プラットフォーム１０１０の後部１０２０に近接して位置されているフットレスト１１００を有する車輪付きプラットフォーム装置１０００の一実施形態を示している。ヒーリング装置２０００、もしくは四輪スケート２００４、インラインスケート２００６、外車輪アセンブリ２００８を含む他のスケートもしくは回転走行装置の前足部分をフットレスト１１００の上に乗せることによって、使用者は、ヒーリング装置２０００もしくは他のスケートもしくは回転走行装置の前足部分を上げるために常に筋力を与える必要なく、車輪付きプラットフォーム装置１０００と関連させて回転走行もしくはヒーリングすることが可能である。このことによって、使用者は、より少ない作動力で長い距離を回転走行することが可能となり、比較的粗い地面が、横断され得る。前記フットレスト１１００は、前記後部１０２０の一部であるかこれに近接していると考えられ得、例えば、前記フットレスト１１００は、前記後部１０２０の後ろから延び得るか、前記後部の側面から延び得るか、前記後部１０２０から取り外し可能であるか、前記後部１０２０の一部であり得る。
【００９８】
図２２Ａ、図２２Ｂ、図２３、図２４、図２５、図２７、図２９Ａ、図２９Ｂ、図２９Ｃ、図２９Ｅ、図３０Ａ、図３０Ｂ、図３０Ｃ、図３０Ｄ、図３１を再度参照すると、いくつかの実施形態では、フットレスト１１００は、プラットフォーム１０１０の後部１０２０から水平にもしくは下方に、いかなる角度にも、例えば車輪付きプラットフォーム装置１０００のプラットフォーム１０１０を通る平面から１８０度以内の角度で、延びている。更なる他の実施形態では、フットレスト１１００は、車輪付きプラットフォーム装置１０００のプラットフォーム１０１０を通って延びる平面から１８０度以内の角度で、前記プラットフォーム１０１０の後部１０２０から上方に延びている。この平面は、例えば、車輪付きプラットフォーム装置１０００が上を回転走行する平坦且つ均一な地面に対して、平行な平面である。
【００９９】
他の実施形態では、フットレスト１１００は、プラットフォーム１０１０の前部１０４０と第１の車輪１０７０とを上げるように前記プラットフォーム１０１０上へと使用者の体重をシフトさせて、従って、前記プラットフォーム１０１０の後部を下方に傾けて、車輪付きプラットフォーム装置が上を回転走行する地面（即ち、コンクリート、アスファルトなど）に前記フットレスト１１００を当接させることによって、ブレーキ面として使用され得る。前記フットレスト１１００と回転走行する地面との間のインターフェースは、摩擦を生じさせ、かくして車輪付きプラットフォーム装置１０００の回転走行を減速させる。
【０１００】
いくつかの実施形態では、フットレスト１１００は、ここで説明されているように、ヒーリング装置２０００、もしくは他のスケートもしくは履物とのグリップを強めるように、また、回転面とのブレーキ力を強めるように、テクスチャード加工され得る。更なる他の実施形態では、フットレスト１１００は、ここで説明されているように、ヒーリング装置２０００もしくは他のスケートもしくは履物とのグリップを強めるように、また、回転走行する面とのブレーキ力を強めるように、ゴム、プラスチック、もしくは他の適切な材料による部分的なもしくは全体的なコーティング、もしくは、他の適切な塗布を有し得る。更なる他の実施形態では、フットレスト１１００は、説明されているように、回転走行する地面と車輪付きプラットフォーム装置１０００とのブレーキ力を強めるように、前記フットレスト１１００の底面に少なくとも部分的に近接して位置されている、ゴム、プラスチック、もしくは他の適切な材料からなる面を有するブレーキ構造体を有し得る。
【０１０１】
図２５、図２９Ａ、図２９Ｂ、図２９Ｃ、図２９Ｄ、図３１を再度参照すると、いくつかの実施形態では、フットレスト１１００は、乗せた状態もしくは回転走行状態の間にヒーリング装置２０００、もしくは四輪スケート２００４、インラインスケート２００６、外車輪アセンブリ２００８を含む他のスケートもしくは回転走行装置の前足部分に前記フットレスト１１００を結合するための結合構造体１１０２を、含み得る。いくつかの実施形態では、この結合構造体１１０２は、フットレスト１１００に近接して取り付けられ得るか、フットレスト１１００の領域内に、もしくは少なくとも部分的にフットレスト１１００の領域内に取り付けられ得る。いくつかの実施形態では、結合構造体１１０２は、第２の磁石と磁気的に結合するための第１の磁石であるか、もしくは、乗せた状態もしくは回転走行状態の間に、ヒーリング装置２０００、もしくは四輪スケート２００４、インラインスケート２００６、外車輪アセンブリ２００８を含む他のスケートもしくは回転走行装置の前足部分に近接して、もしくは部分的に前足部分の領域内に位置される他の磁気構造体であり得る。他の実施形態では、結合構造体１１０２は、乗せた状態もしくは回転走行状態の間に、ヒーリング装置２０００、もしくは四輪スケート２００４、インラインスケート２００６、外車輪アセンブリ２００８を含む他のスケートもしくは回転走行装置の前足部分に近接して、もしくは部分的に前足部分の領域内に位置される、雌取着受け部と結合するための雄取着突出部であり得る。他の実施形態では、結合構造体１１０２は、乗せた状態もしくは回転走行状態の間に、ヒーリング装置２０００、もしくは四輪スケート２００４、インラインスケート２００６、外車輪アセンブリ２００８を含む他のスケートもしくは回転走行装置の前足部分に近接して、もしくは部分的に前足部分の領域内に位置される、雄取着突出部と結合するための雌取着受け部であり得る。
【０１０２】
図２２Ａ、図２２Ｂ、図２４、図２５、図２６、図２７、図３１は、前記車輪付きプラットフォーム装置１０００の使用の間に、ヒーリング装置２０００、もしくは四輪スケート２００４、インラインスケート２００６、外車輪アセンブリ２００８を含む他のスケートもしくは回転走行装置の前足部分、土踏まず部分、かかと部分、もしくは他の部分を乗せるための、プラットフォーム１０１０を通る平面内で少なくとも部分的に前記プラットフォーム１０１０から延びている、もしくは傾斜している突出部１１１０を備えた車輪付きプラットフォーム装置１０００の一実施形態を示している。この突出部１１１０は、車輪付きプラットフォーム装置０００による回転走行、乗せた状態、パフォーマンスの間に、選択されたスケートもしくは履物を前記突出部１１１０の上に乗せるというオプションを、使用者に与える。いくつかの実施形態では、突出部１１１０は、車輪付きプラットフォーム装置１０００のプラットフォーム１０１０を通る平面から１８０度以内の角度で、前記プラットフォーム１０１０の前部１０４０、中間部１０３０、もしくは後部１０２０から下方に延びている。更なる他の実施形態では、突出部１１１０は、プラットフォーム１０１０の前部１０４０、中間部１０３０、後部１０２０から上方に延びている。
【０１０３】
いくつかの実施形態では、突出部１１１０は、ヒーリング装置２０００もしくは他の履物とのグリップを強めるようにテクスチャード加工され得る。更なる他の実施形態では、突出部１１１０は、ヒーリング装置２０００もしくは他の履物とのグリップを強めるために、ゴム、プラスチック、もしくは他の適切な材料による、部分的なもしくは全体のコーティング、もしくは他の適切な塗布を有し得る。
【０１０４】
図２５及び図３１を再度参照すると、いくつかの実施形態では、突出部１１１０は、この突出部１１１０を、乗せた状態もしくは回転走行状態の間に、ヒーリング装置２０００、もしくは四輪スケート２００４、インラインスケート２００６、外車輪アセンブリ２００８を含む他のスケートもしくは回転走行装置の前足部分、土踏まず部分、かかと部分と結合させるための結合構造体１１０４を有し得る。いくつかの実施形態では、結合構造体１１０４は、突出部１１１０に近接して取り付けられ得、もしくは、少なくとも部分的に前記突出部１１１０の領域内に取り付けられ得る。いくつかの実施形態では、結合構造体１１０４は、乗せた状態もしくは回転走行状態の間に、ヒーリング装置２０００、もしくは四輪スケート２００４、インラインスケート２００６、外車輪アセンブリ２００８を含む他のスケートもしくは回転走行装置の前足部分、土踏まず部分、もしくはかかと部分に近接して、もしくは部分的にこのような部分の領域内に位置される、第２の磁石と磁気的に結合するための第１の磁石であるか、他の磁気構造体であり得る。他の実施形態では、結合構造体１１０４は、乗せた状態もしくは回転走行状態の間に、ヒーリング装置２０００、もしくは四輪スケート２００４、インラインスケート２００６、外車輪アセンブリ２００８を含む他のスケートもしくは回転走行装置の前足部分、土踏まず部分、もしくはかかと部分に近接して、もしくは部分的にこのような部分の領域内に位置される、雌取着受け部と結合するための雄取着突出部であり得る。他の実施形態では、結合構造体１１０４は、乗せた状態もしくは回転走行状態の間に、ヒーリング装置２０００、もしくは四輪スケート２００４、インラインスケート２００６、外車輪アセンブリ２００８を含む他のスケートもしくは回転走行装置の前足部分、土踏まず部分、もしくはかかと部分に近接して、もしくは部分的にこのような部分の領域内に位置される、雄取着突出部と結合するための雌取着受け部であり得る。
【０１０５】
更なる他の実施形態では、第２の突出部１１２０が、第１の突出部１１１０と同じ方法で使用され得、この第２の突出部１１２０は、プラットフォーム１０１０から傾斜されていても傾斜されていなくても良い。いくつかの実施形態では、第２の突出部１１２０は、結合構造体１１０４と同じ方法で使用される結合構造体１１０６を有し得る。また、前記第１の突出部１１１０と前記第２の突出部１１２０とは、車輪付きプラットフォーム装置１０００のいかなる所望の位置にも位置され得ることが、理解されなければならない。
【０１０６】
図３８は、プラットフォーム１０１０に取り外し可能に取着されている中間のシャーシ１５２０を有する車輪付きプラットフォーム装置１０００の一実施形態を示している。ここでの説明では、前記中間のシャーシ１５２０は、前記プラットフォーム１０１０の上部に、相互に交換して称され得る。中間のシャーシ１５２０は、少なくとも部分的に、ねじ、ボルト、スナップ取着、さねはぎ継ぎ（tongue-and-groove）、もしくは他の留めメカニズムによって、プラットフォーム１０１０に取り外し可能に取着され得る。前記中間のシャーシ１５２０は、例えば、前記車輪付きプラットフォーム装置１０００の構造的な保全を高め且つ製造費用を減じるように、プラットフォーム１０１０との相互接続を可能にし、また、スナップ取着、摩擦取着、磁気取着、さねはぎ継ぎ取着、スクリュー、ボルト、他の適切な結合手段によるデッキプレート１５１０との結合を与え得る。
【０１０７】
図３８、図４９、図５０を参照すると、いくつかの実施形態では、本書では取着構造体１０９０とも称され得る取着構造体１５１４が、留め具１５１２もしくは他の適切な手段によって、デッキプレート１５１０に、もしくは直接に中間のシャーシ１５２０に、もしくは直接にプラットフォーム１０１０に、もしくはデッキプレート１５１０と中間のシャーシ１５２０とプラットフォーム１０１０とのいかなる組み合わせに、着脱可能に接続されている。このデッキプレート１５１０は、いくつかの実施形態では、デッキプレート１０１２であり得る。一実施形態では、取着構造体１５１４は、留め具１５１２と車軸構造体１５１６と張力付与具１５１８とを収容するように形成されている。デッキプレート１５１０の上面は、このデッキプレート１５１０の長手方向の中心線に対する取着構造体の回転を促すように、前記取着構造体１５１４の突出部１５２４と相互接続するための凹部１５１９を有し得る。かくして、使用者は、ヒーリング装置２０００をプラットフォーム１０１０の長手方向の中心線にほぼ沿って位置することが、可能となる。ヒーリング装置２０００は、いくつかの実施形態では、車輪付きプラットフォーム装置１０００のプラットフォーム１０１０の回転方向、もしくは長手方向の中心線からオフセットした角度で傾斜し得る。例えば、ヒーリング装置２０００をプラットフォーム１０１０の長手方向の中心線にほぼ沿って位置することは、車輪付きプラットフォーム装置１０００の回転方向、もしくは長手方向の中心線からプラスマイナス１５度以内の角度で傾斜して行われ得る。他の実施形態では、例えば、ヒーリング装置２０００をプラットフォーム１０１０の長手方向の中心線にほぼ沿って位置することは、車輪付きプラットフォーム装置１０００の回転方向、もしくは長手方向の中心線からプラスマイナス４５度以内の角度で傾斜して行われ得る。他の角度も可能であり、使用者の好みの問題である。
【０１０８】
更なる他の実施形態では、取着構造体１５１４の突出部１５２４が、中間のシャーシ１５２０及び／もしくはプラットフォーム１０１０と相互接続し得る。いくつかの実施形態では、車軸構造体１５１６が、張力付与具１５１８、例えば留めねじ、取り付けピン、もしくは他の適切な構造体によって、取着構造体１５１４に少なくとも部分的に取着されており、凹んだかかと開口部、車輪取り付け構造体、及び／もしくは車軸凹部と、ヒーリング装置２０００のかかとの領域内で結合し得る。このようなかかと開口部、車輪取り付け構造体、及び／もしくは車軸凹部は、概して前述のように、及び／もしくは、図２Ａ、図２Ｂ、図３Ａ、図３Ｂ、図５、図６、図９、図１０に示されているように、実施され得る。
【０１０９】
取着構造体１５１４は、前記デッキプレート１５１０の上面の後部に、このデッキプレート１５１０の長手方向の中心線に沿って好ましくは位置されている。しかしながら、他の実施形態では、取着構造体１５１４は、ヒーリング装置２０００と結合し得るデッキプレート１５１０の上のいずれの位置にも、位置され得る。いくつかの実施形態では、車軸構造体１５１６が、異なる長さの他の車軸構造体１５１６に代えられ得、従って、車軸構造体１５１６は、前述のように、異なる大きさのヒーリング装置を含むヒーリング装置２０００の種々の実施形態の、種々の大きさの車輪及び車軸アセンブリと協動する種々の大きさのかかと開口部、車輪取り付け構造体、及び／もしくは、車軸凹部と相互接続することが可能となる。
【０１１０】
図３８、図３９Ａ、図３９Ｂ、図３９Ｃ、図４９、図５０は、取着構造体１５１４の実施形態を更に示している。図３９Ａに示されているような取着構造体１５１４の斜視図は、この取着構造体１５１４をデッキプレート１５１０に取り外し可能に取着する留め具１５１２の挿入を可能にするための、第１の留め具用開口部１５２１を示している。また、車軸構造体１５１６を収容するためのスリーブ形状の開口部１５２２と、車軸構造体１５１６を前記スリーブ形状の開口部１５２２中に少なくとも部分的に取着するために張力付与具の挿入を可能にするための、取着構造体１５１４の上面に位置された張力付与具用開口部１５２３とが、示されている。前記張力付与具用開口部１５２３は、張力付与具１５１８によって生じられる相対的な応力に対して動作可能な挿入部を任意に有し得、金属、木材、プラスチック、ポリウレタン、セラミック、複合材料、もしくは他の耐性のあるいかなる材料によっても構成され得る。
【０１１１】
いくつかの実施形態では、取着構造体１５１４が、図３９Ｂに示されているような突出部１５２４を更に有し得る。この突出部１５２４は、デッキプレート１５１０の長軸方向の中心線に対する前記取着構造体１５１４の回転を促すように、デッキプレート１５１０の上面の凹部と相互接続するために、金属、セラミック、プラスチック、ポリウレタン、複合材料、木材、もしくは他の耐性のあるいかなる材料によっても構成され得る。
【０１１２】
図３９Ｃ及び図４４は、第１の留め具用開口部１５２１と第２の留め具用開口部１５２５とスリーブ形状の開口部１５２２と突出部１５２４とを示す、取着構造体１５１４の一実施形態を示している。前記第２の留め具用開口部１５２５は、前記第１の留め具用開口部１５２１と類似しており、前記取着構造体１５１４をデッキプレート１５１０に取り外し可能に取着させるための留め具１５１２の挿入を可能にする。第１の留め具用開口部１５２１と第２の留め具用開口部１５２５との双方は、前記取着構造体１５１４の、留め具１５１２とデッキプレート１５１０とに対する移動、例えば回動を可能にするように、非円形（例えば矩形、楕円形など）であり得る。このような移動は、使用者がヒーリング装置２０００を前記プラットフォーム１０１０の長手方向の中心線にほぼ沿って位置する際の柔軟性を可能にする。このヒーリング装置２０００は、いくつかの実施形態では、車輪付きプラットフォーム装置１０００のプラットフォーム１０１０の回転方向、もしくは長手方向の中心線からオフセットした所定の角度で傾斜し得る。このことによって、取り扱い、履き心地、更なる安全性が、向上される。例えば、前記ヒーリング装置２０００を前記プラットフォーム１０１０の長手方向の中心線にほぼ沿って位置することは、車輪付きプラットフォーム装置１０００の回転方向、もしくは長手方向の中心線からプラスマイナス１５度以内の角度で行われ得る。他の実施形態では、例えば、ヒーリング装置２０００をプラットフォーム１０１０の長手方向の中心線にほぼ沿って位置することは、車輪付きプラットフォーム装置１０００の回転方向、もしくは長手方向の中心線からプラスマイナス４５度以内の角度で行われ得る。他の角度も可能であり、使用者の好みの問題である。
【０１１３】
図４０Ａ、図４０Ｂ、図４０Ｃ、図４１Ｃ、図４１Ｅは、本発明の他の実施形態を示しており、中間のシャーシ１５２０が、物体を格納するための凹部１５２６を有している。更なる他の実施形態では、プラットフォーム１０１０が、凹部１５２６を有し得る。図４０Ａは、凹部１５２６の使用の一例として、車軸構造体１５１６を格納する凹部１５２６を備えた中間のシャーシ１５２０を示している。この凹部は、図４０Ｂに示されているように、例えばデッキプレート１５１０の下に隠され得る。また、この凹部は、例えばストラップ、蓋、及び／もしくは他の取着手段の下に隠され得、物体、例えば、更なる車軸構造体、留め具、張力付与具、キー、もしくは他の個人的な物を格納するために使用され得る。
【０１１４】
図４１Ａ、図４１Ｂ、図４１Ｃ、図４１Ｄ、図４１Ｅ、図４１Ｆは、本発明の更なる他の実施形態を示しており、ストラップ１５３５が、ヒーリング装置２０００、四輪スケート２００４、インラインスケート２００６、外車輪アセンブリ２００８、もしくは他の車輪付きスケート、もしくは使用者の足を含む車輪の付いていないもしくは車輪付き履物を、車輪付きプラットフォーム装置１０００に取り外し可能に結合させるために、中間のシャーシ１５２０に取り外し可能に結合されている。このストラップ１５３５は、ナイロン、ポリウレタン、ゴム、もしくは他の耐性のあるいかなる材料によっても構成され得、車輪の付いていないもしくは車輪付き履物に、もしくはこの周りに留められるか、結ばれるか、引掛けて巻きつけられるか、他の方法で留められ得る。図４１Ａ及び図４１Ｂに示されているように、ストラップ１５３５は、中間のシャーシ１５２０とデッキプレート１５１０との間に結合され得る。更なる他の実施形態では、ストラップ１５３５は、プラットフォーム１０１０に直接に結合され得る。図４１Ｃ及び図４１Ｅは、中間のシャーシ１５２０の凹部１５２６を示しており、ストラップ１５３５が、この凹部１５２６を隠し、従って、いかなる個人的な物体も、この凹部１５２６中に少なくとも部分的にしっかりと格納される。図４１Ｄは、中間のシャーシ１５２０の上面に位置されるストラップ１５３５を示している。このストラップは、いくつかの実施形態では、凹部１５２６を隠し、デッキプレート１５１０によって取り外し可能に結合される。
【０１１５】
図２８、図２９Ａ、図２９Ｂ、図２９Ｃ、図２９Ｄ、図２９Ｅ、図３０Ａ、図３０Ｂ、図３０Ｃ、図３０Ｄは、使用者による地面上での車輪付きプラットフォーム装置１０００の使用の方法を示している。図３０Ａ、図３０Ｂ、図３０Ｃ、図３０Ｄに示されているように、使用者は、車輪付きプラットフォーム装置１０００上に一方の足１２００を置き、他方の足１２１０に履かれているヒーリング装置２０００、もしくは四輪スケート２００４、インラインスケート２００６、外車輪アセンブリ２００８を含む他のスケートもしくは回転走行装置の少なくとも一部分を、地面に接するように位置し、第１の方向（即ち、車輪付きプラットフォーム装置１０００の回転方向）に力を与えるように地面からヒーリング装置２０００もしくは他のスケートもしくは回転走行装置の一部を蹴る、もしくは押すことによって、前記第１の方向に地面上を移動する。他の実施形態では、第１の方向の前向きの力が、他方の足に履かれているヒーリング装置２０００、もしくは四輪スケート２００４、インラインスケート２００６、外車輪アセンブリ２００８を含む他のスケートもしくは回転走行装置を、「ローラースケートをする」ように、（即ち、他方の足１２１０を、外側に、目的の回転方向の反対方向に押すように、）使用することよって、与えられ得る。前記前向きの力は、前記車輪付きプラットフォーム装置１０００を、ほぼ第１の方向に、地面上で回転走行させる。
【０１１６】
図３０Ａ及び図３０Ｄを再度参照すると、使用者による地面上での車輪付きプラットフォーム装置１０００の使用の他の方法が、示されている。スケートもしくは回転走行装置のかかとに近接して、もしくは部分的にこのかかとの領域内に、もしくはこのかかとの下に取り付けられている、もしくはストラップで留められている１つもしくは複数の車輪を有しているヒーリング装置２０００、外車輪アセンブリ２００８、もしくは類似した回転走行装置は、ヒーリング装置２０００、外車輪アセンブリ２００８、もしくは類似した回転走行装置の前足部分を地面に接するように位置し、地面から前方に蹴るもしくは押すことによって、第１の方向（即ち、車輪付きプラットフォーム装置１０００の回転方向）に、前向きの力を発生させ得る。
【０１１７】
図２９Ａ、図２９Ｄ、図２９Ｅを再度参照すると、車輪付きプラットフォーム装置１０００の使用方法の他の実施形態では、使用者が、車輪付きプラットフォーム装置１０００と、他方の足１２１０に履かれているヒーリング装置２０００もしくは外車輪アセンブリ２００８との組み合わせによって移動する場合、使用者は、他方の足１２１０に履かれている前記ヒーリング装置２０００もしくは外車輪装置２００８の靴底の前足部分を、上方に、回転走行のための地面から離れるように上げることによって、地面上の移動から地面上の回転走行に変え得る。
【０１１８】
図３０Ｂ及び図３０Ｃを再度参照すると、使用者による地面上での車輪付きプラットフォーム装置１０００の使用の他の方法が、示されている。スケート、例えば、四輪スケート２００４、インラインスケート２００６、もしくは、１つもしくは複数の車輪がスケートの少なくともかかと及び前足に近接して、もしくは部分的にこれらの領域内に、もしくはこれらの下に取り付けられている、もしくはストラップで留められている類似した装置が、第１の方向（即ち、車輪付きプラットフォーム装置１０００の回転方向）に、前向きの力を発生させ得る。この前向きの力は、スケートの回転角度を第１の方向からオフセットした角度に位置し、他方の足１２１０によって、前記車輪付きプラットフォーム装置１０００の第１の方向からオフセットした方向に、「ローラースケートをする」ようにして押しもしくは蹴り、この結果、スケートの回転方向からオフセットした角度で地面に与えられる力の適用によって第１の方向に前向きの力を発生させることによって、発生され得る。図３０Ｂ及び図３０Ｃを再度参照すると、第１の方向の前向きの力は、つま先もしくはかかとのブレーキ、即ちスケートの回転しない面を地面に接するように置くことによって、そして他方の足１２１０で押すことによって、発生され得る。
【０１１９】
図２９Ａ、図２９Ｂ、図２９Ｃ、図２９Ｄ、図２９Ｅ、図４２、図４３、図５１を参照すると、車輪付きプラットフォーム装置１０００の使用の方法の他の実施形態では、使用者は、車輪付きプラットフォーム装置１０００と、他方の足１２１０に履かれているヒーリング装置２０００、もしくは四輪スケート２００４、インラインスケート２００６、外車輪アセンブリ２００８を含む他の履物、スケートもしくは回転走行装置との組み合わせによって回転走行する場合、使用者は、以下の方法のいずれかで、地面上での回転走行から地面上での停止に変えることができる。（１）ヒーリング装置２０００もしくは外車輪装置２００８の少なくとも前足部分を地面上に置く。（２）ヒーリング装置２０００、もしくは外車輪装置２００８、もしくは他の車輪付き履物の前足部分を上げ、ヒーリング装置２０００もしくは外車輪装置２００８の後部ブレーキ２００２のようなヒールブレーキを発生させるためのヒールブレーキを、摩擦ブレーキ力を発生させるように地面に当接させる。（３）車輪付きプラットフォーム装置１０００の前部を上げ、このことによって、フットレスト１１００を、摩擦ブレーキ力を発生させるように地面に当接させる。（４）四輪スケート２００４、もしくはインラインスケート２００６、もしくは他の車輪付き履物のかかと部分を上げ、四輪スケート２００４もしくはインラインスケート２００６のつま先ストッパのような前足のブレーキ面もしくは構造体を、摩擦ブレーキ力を発生させるように回転走行する地面に当接させる。（５）他方の足１２１０に履かれている履物の回転しない部材の少なくとも一部を引きずり、この結果、履物の回転しない部材と回転面との間に摩擦ブレーキ力を生じさせる。他の実施形態では、図４３に示されているように、地面上での回転走行から地面上での停止への変更が、車輪付きプラットフォーム装置１０００の前に位置されている他方の足１２１０によって行われ得る。更なる他の実施形態では、図４２及び図５１によって示されているように、地面上での回転走行から地面上での停止への変更は、車輪付きプラットフォーム装置１０００の後ろに位置されている他方の足１２１０によって行われ得る。他の実施形態では、図５１に示されているように、履物の回転しない部材の少なくとも一部を引きずることによって地面上での回転走行から地面上での停止へと変えることが、靴底の内側の端部のような履物の靴底の少なくとも一部を地面に沿って引きずることによって、行われ得る。
【０１２０】
図２９Ａ、図２９Ｂ、図２９Ｃ、図２９Ｄ、図２９Ｅ、図４２、図４３を再度参照すると、車輪付きプラットフォーム装置１０００の使用方法の更なる他の実施形態では、地面上での回転走行が、他方の足１２１０に履かれているヒーリング装置２０００、もしくは、四輪スケート２００４、インラインスケート２００６、外車輪アセンブリ２００８を含む他のスケートもしくは回転走行装置を、このようなヒーリング装置２０００もしくは他のスケートもしくは回転走行装置が地面上で回転走行するように動作し得るように位置されるように、少なくとも部分的に車輪付きプラットフォーム装置１０００の前に、もしくは少なくとも部分的に車輪付きプラットフォーム装置１０００の両側面に近接して、もしくは少なくとも部分的に車輪付きプラットフォーム装置１０００の後ろに位置することを含む。また、地面上での回転走行は、いくつかの実施形態では、かかとの中の、もしくは下の、もしくはこれに近接した車輪を使用して回転走行するように、ヒーリング装置２０００もしくは他のスケートもしくは回転走行装置の前足を上げることを含む。
【０１２１】
図２９Ａ、図２９Ｂ、図２９Ｃ、図２９Ｄ、図２９Ｅを再度参照すると、使用者による地面上での車輪付きプラットフォーム装置１０００の他の使用方法が、示されている。この方法は、他方の足１２１０に履かれているスケートもしくは回転走行装置のかかとに近接した、もしくは部分的にこの領域内の、もしくはこの下に取り付けられているもしくはストラップで留められている１つもしくは複数の車輪を有するヒーリング装置２０００、もしくは他のスケート、もしくは回転走行装置の前足部分の少なくとも一部分が、地面から上げられ得る。そして、ヒーリング装置２０００、もしくは他のスケート、もしくは回転走行装置の前記前足部分は、前記ヒーリング装置２０００もしくは他のスケートもしくは回転走行装置のかかとに近接して、もしくは部分的にこの領域内に、もしくはこの下に取り付けられているもしくはストラップで留められている１つもしくは複数の車輪が地面上を回転する間に、車輪付きプラットフォーム装置１０００のフットレスト１１００の上に、もしくはこれに近接して置かれる。尚、前記スケートもしくは回転走行装置は、四輪スケート２００４、インラインスケート２００６、もしくは外車輪アセンブリ２００８を含む。
【０１２２】
図２４、図２５、図３１を参照すると、他の実施形態は、使用者による地面上での車輪付きプラットフォームの、以下のような使用方法を含む。他方の足に履かれている四輪スケート２００４、インラインスケート２００６、外車輪アセンブリ２００８を含むスケートもしくは回転走行装置に取り付けられている１つもしくは複数の車輪を有するヒーリング装置２０００もしくは他のスケートもしくは回転走行装置の、前足もしくは土踏まず部分のような一部分が、地面から上げられ得る。前記ヒーリング装置２０００もしくは他のスケートもしくは回転走行装置の前記上げられた部分は、前記ヒーリング装置２０００もしくは他のスケートもしくは回転走行装置に近接して、もしくは部分的にこの領域内に、もしくはこの下に取り付けられているもしくはストラップで留められている１つもしくは複数の車輪が地面上を回転する間に、車輪付きプラットフォーム装置１０００の突出部１１１０もしくは１１２０の上に、もしくはこれに近接して位置される。
【０１２３】
図２８、図２９Ａ、図２９Ｂ、図２９Ｃ、図２９Ｄ、図２９Ｅ、図４１Ａ、図４１Ｂ、図４１Ｃ、図４１Ｄ、図４１Ｅ、図４１Ｆ、図４２、図４３、図４４、図４８を参照すると、車輪付きプラットフォーム装置１０００の使用方法の他の実施形態では、ヒーリング装置２０００、四輪スケート２００４、インラインスケート２００６、外車輪アセンブリ２００８を含む車輪の付いていないもしくは車輪付き履物は、一方の足１２００に履かれており、取着構造体、結合部材、ストラップ、磁石もしくは他の方法によって、車輪付きプラットフォーム装置１０００の少なくとも一部と、取り外し可能に接続し得る。
【０１２４】
図４５を参照すると、車輪付きプラットフォーム装置１０００の使用方法の他の実施形態では、取り外し可能な車輪が、地面上での回転走行の前に、ヒーリング装置２０００の靴底のかかと部分の開口部中に挿入される。
【０１２５】
図２９Ａ、図２９Ｂ、図２９Ｃ、図２９Ｄ、図２９Ｅを再度参照すると、他の実施形態では、車輪付きプラットフォーム装置１０００と関連して使用される場合、他方の足１２１０に履かれている四輪スケート２００４、インラインスケート２００６、外車輪装置２００８を含むスケートもしくは回転走行装置に近接して、もしくは部分的にこの領域内に、もしくはこの下に取り付けられているもしくはストラップで留められている１つもしくは複数の車輪を有するヒーリング装置２０００、もしくは他のスケート、もしくは回転走行装置の少なくとも１つの車輪の少なくとも一部が、回転走行する地面と接するように、ヒーリング装置２０００、もしくは他のスケート、もしくは回転走行装置の靴底の底部の下に少なくとも部分的に突出しており、少なくとも１つの車輪は、前述のように、使用者の体重の少なくとも一部を支持しながら回転走行するように動作可能である。
【０１２６】
かくして、本発明に従って、車輪付きプラットフォーム装置及び方法が提供されていることが、明らかである。好ましい実施形態が詳細に示されているが、種々の修正、代案、変更が、上記に特定された効果のいくつかもしくはすべてが存在しなくても、本発明の範囲から逸脱することなく為され得る。例えば、種々の部材もしくは構成要素が、他のシステムに組み合わされるか統合されても良く、特定の特徴が、実施されなくても良い。
【０１２７】
また、別のもの即ち分離したものとして好ましい実施形態に説明され且つ示されている構成部材、技術、システム、サブシステム、層、構成、方法が、他の構成部材、システム、モジュール、技術、方法と、本発明の範囲から逸脱することなく、組み合わされるか統合され得る。修正、代案、変更の他の例が、当業者によって容易に確かめられ得、本発明の範囲から逸脱することなく為され得る。
【図１】
2013504382.tif 000003
【図２Ａ】
2013504382.tif 000004
【図２Ｂ】
2013504382.tif 000005
【図３Ａ】
2013504382.tif 000006
【図３Ｂ】
2013504382.tif 000007
【図４】
2013504382.tif 000008
【図５】
2013504382.tif 000009
【図６】
2013504382.tif 000010
【図７】
2013504382.tif 000011
【図８Ａ】
2013504382.tif 000012
【図８Ｂ】
2013504382.tif 000013
【図８Ｃ】
2013504382.tif 000014
【図８Ｄ】
2013504382.tif 000015
【図９】
2013504382.tif 000016
【図１０】
2013504382.tif 000017
【図１１】
2013504382.tif 000018
【図１２】
2013504382.tif 000019
【図１３】
2013504382.tif 000020
【図１４】
2013504382.tif 000021
【図１５】
2013504382.tif 000022
【図１６】
2013504382.tif 000023
【図１７】
2013504382.tif 000024
【図１８】
2013504382.tif 000025
【図１９】
2013504382.tif 000026
【図２０】
2013504382.tif 000027
【図２１】
2013504382.tif 000028
【図２２Ａ】
2013504382.tif 000029
【図２２Ｂ】
2013504382.tif 000030
【図２３】
2013504382.tif 000031
【図２４】
2013504382.tif 000032
【図２５】
2013504382.tif 000033
【図２６】
2013504382.tif 000034
【図２７】
2013504382.tif 000035
【図２８】
2013504382.tif 000036
【図２９Ａ】
2013504382.tif 000037
【図２９Ｂ】
2013504382.tif 000038
【図２９Ｃ】
2013504382.tif 000039
【図２９Ｄ】
2013504382.tif 000040
【図２９Ｅ】
2013504382.tif 000041
【図３０Ａ】
2013504382.tif 000042
【図３０Ｂ】
2013504382.tif 000043
【図３０Ｃ】
2013504382.tif 000044
【図３０Ｄ】
2013504382.tif 000045
【図３１】
2013504382.tif 000046
【図３２】
2013504382.tif 000047
【図３３】
2013504382.tif 000048
【図３４】
2013504382.tif 000049
【図３５】
2013504382.tif 000050
【図３６Ａ】
2013504382.tif 000051
【図３６Ｂ】
2013504382.tif 000052
【図３７】
2013504382.tif 000053
【図３８】
2013504382.tif 000054
【図３９Ａ】
2013504382.tif 000055
【図３９Ｂ】
2013504382.tif 000056
【図３９Ｃ】
2013504382.tif 000057
【図４０Ａ】
2013504382.tif 000058
【図４０Ｂ】
2013504382.tif 000059
【図４０Ｃ】
2013504382.tif 000060
【図４１Ａ】
2013504382.tif 000061
【図４１Ｂ】
2013504382.tif 000062
【図４１Ｃ】
2013504382.tif 000063
【図４１Ｄ】
2013504382.tif 000064
【図４１Ｅ】
2013504382.tif 000065
【図４１Ｆ】
2013504382.tif 000066
【図４２】
2013504382.tif 000067
【図４３】
2013504382.tif 000068
【図４４】
2013504382.tif 000069
【図４５】
2013504382.tif 000070
【図４６Ａ】
2013504382.tif 000071
【図４６Ｂ】
2013504382.tif 000072
【図４７Ａ】
2013504382.tif 000073
【図４７Ｂ】
2013504382.tif 000074
【図４７Ｃ】
2013504382.tif 000075
【図４８】
2013504382.tif 000076
【図４９】
2013504382.tif 000077
【図５０】
2013504382.tif 000078
【図５１】
2013504382.tif 000079
【国際調査報告】
2013504382.tif 000080